(57)【特許請求の範囲】
【請求項１】
ゲートウェイデバイスを動作させる方法であって、
共通電源から電力を取得する複数のアクセスポイントにおけるアクセスポイントの第1のサブセットを、前記複数のアクセスポイントにおける少なくともいくつかのアクセスポイントがワイヤレス端末信号を監視しない第1の期間中にワイヤレス端末からの信号を監視するように制御するステップであって、アクセスポイントの前記第1のサブセットは1つまたは複数のアクセスポイントを含み、アクセスポイントの前記第1のサブセットは第1のアクセスポイントを含む、ステップと、
ワイヤレス端末からの信号の検出を示す前記第1のアクセスポイントからの信号を受信するステップと、
ワイヤレス端末の検出を示す前記信号を受信したことに応答して、前記複数のアクセスポイントにおける少なくとも第2のアクセスポイントを、非監視動作モードから監視動作モードに切り替えるように制御するステップと、
少なくとも前記第2のアクセスポイントを、前記第1のアクセスポイントがワイヤレス端末信号を監視しない間の第2の期間中にワイヤレス端末信号を監視するように制御するステップと
を含む方法。
【請求項２】
第1の共通電源電力バジェットに基づいてアクセスポイントの前記第1のサブセットに含まれるように、前記複数のアクセスポイントにおけるアクセスポイントを選択するステップと、
アクセスポイントの前記第1のサブセットにおけるアクセスポイントに、それらが前記第1の期間中に監視動作モードで動作すべきであることを通信するステップと
をさらに含む、請求項1に記載の方法。
【請求項３】
アクセスポイントの前記第1のサブセットに含まれるようにアクセスポイントを選択するステップは、大きいエリアに分散された第1の複数のアクセスポイントを、ワイヤレス端末信号を監視するように選択するステップを含む、請求項2に記載の方法。
【請求項４】
第2の共通電源電力バジェットに基づいてアクセスポイントの第2のサブセットに含まれるように、前記複数のアクセスポイントにおけるアクセスポイントを選択するステップをさらに含み、アクセスポイントの第2のサブセットに含まれるようにアクセスポイントを選択するステップは、可能な選択についての考慮から前記第1のアクセスポイントを除外するステップを含む、請求項3に記載の方法。
【請求項５】
アクセスポイントの第2のサブセットに含まれるようにアクセスポイントを選択するステップは、アクセスポイントの前記第2のサブセットの選択を、前記第1のアクセスポイントの位置に基づいて行うステップを含む、請求項4に記載の方法。
【請求項６】
アクセスポイントの第2のサブセットに含まれるようにアクセスポイントを選択するステップは、アクセスポイントの前記第1のサブセットに含まれていないアクセスポイントを、アクセスポイントの前記第2のサブセットに含まれるように選択する選好を適用するステップを含む、請求項5に記載の方法。
【請求項７】
アクセスポイントの第2のサブセットに含まれるようにアクセスポイントを選択するステップは、前記第1のアクセスポイントに近接したアクセスポイントのクラスタを選択するステップを含む、請求項5に記載の方法。
【請求項８】
前記第1の共通電源電力バジェットに基づいてアクセスポイントの第3のサブセットに含まれるように、前記複数のアクセスポイントからアクセスポイントを選択するステップと、
アクセスポイントの前記第3のサブセットにおけるアクセスポイントに、それらが第3の期間中に監視動作モードで動作すべきであることを通信するステップと
をさらに含む、請求項2に記載の方法。
【請求項９】
共通電源から電力を取得する複数のアクセスポイントにおけるアクセスポイントの第1のサブセットを、前記複数のアクセスポイントにおける少なくともいくつかのアクセスポイントがワイヤレス端末信号を監視しない第1の期間中にワイヤレス端末からの信号を監視するように制御するための手段であって、アクセスポイントの前記第1のサブセットは1つまたは複数のアクセスポイントを含み、アクセスポイントの前記第1のサブセットは第1のアクセスポイントを含む、手段と、
ワイヤレス端末からの信号の検出を示す前記第1のアクセスポイントからの信号を受信するための手段と、
ワイヤレス端末の検出を示す前記信号を受信したことに応答して、前記複数のアクセスポイントにおける少なくとも第2のアクセスポイントを、非監視動作モードから監視動作モードに切り替えるように制御するための手段と、
少なくとも前記第2のアクセスポイントを、前記第1のアクセスポイントがワイヤレス端末信号を監視しない間の第2の期間中にワイヤレス端末信号を監視するように制御するための手段と
を含むゲートウェイデバイス。
【請求項１０】
第1の共通電源電力バジェットに基づいてアクセスポイントの前記第1のサブセットに含まれるように、前記複数のアクセスポイントにおけるアクセスポイントを選択するための手段であって、大きいエリアに分散された第1の複数のアクセスポイントを、ワイヤレス端末信号を監視するように選択するための手段を含む、手段と、
アクセスポイントの前記第1のサブセットにおけるアクセスポイントに、それらが前記第1の期間中に監視動作モードで動作すべきであることを通信するための手段と
をさらに含む、請求項9に記載のゲートウェイデバイス。
【請求項１１】
第2の共通電源電力バジェットに基づいてアクセスポイントの第2のサブセットに含まれるように、前記複数のアクセスポイントにおけるアクセスポイントを選択するための手段をさらに含み、アクセスポイントの第2のサブセットに含まれるようにアクセスポイントを選択するための手段は、可能な選択についての考慮から前記第1のアクセスポイントを除外するための手段を含む、請求項10に記載のゲートウェイデバイス。
【請求項１２】
アクセスポイントの第2のサブセットに含まれるようにアクセスポイントを選択するための手段は、アクセスポイントの前記第2のサブセットの選択を、前記第1のアクセスポイントの位置に基づいて行うための手段を含む、請求項11に記載のゲートウェイデバイス。
【請求項１３】
アクセスポイントの第2のサブセットに含まれるようにアクセスポイントを選択するための手段は、アクセスポイントの前記第1のサブセットに含まれていないアクセスポイントを、アクセスポイントの前記第2のサブセットに含まれるように選択する選好を適用するための手段を含む、請求項12に記載のゲートウェイデバイス。
【請求項１４】
第1のサブセットを制御するための前記手段と、前記第1のアクセスポイントからの信号を受信するための前記手段と、ワイヤレス端末の検出を示す前記信号を受信したことに応答して制御するための前記手段と、少なくとも前記第2のアクセスポイントを制御するための前記手段とは、少なくとも1つのプロセッサと前記少なくとも1つのプロセッサに接続されたメモリとにより提供される、請求項9に記載のゲートウェイデバイス。
【請求項１５】
請求項1乃至8の何れか1項に記載の方法を実施するようにコンピュータで実行可能であるプログラム命令を含む、コンピュータプログラム。
【発明の詳細な説明】
【技術分野】
【０００１】
様々な実施形態は通信に関し、より詳細には、ワイヤレス端末を効率的に検出し、かつ/または通信システム、たとえばアクセスポイントが共通電源から電力を取得するシステムにおいてアクセスポイントを制御するための方法および装置に関する。
【背景技術】
【０００２】
いくつかの屋内通信システムでは、電源の制限および/または電力を送配する配線の制限のために限られた電力送配能力を有する共通電源、たとえば限られた電力送配能力を有するDC電力バスをもつ共通DC電源によって複数のアクセスポイントが電力供給されるのが一般的である。Ethernet（登録商標）+Power over Ethernet（登録商標）(PoE)バスは、共通電力供給バスとしても機能するネットワーク通信バスの一例である。いくつかのワイヤレスアクセスポイント、たとえば基地局が比較的安価になる中、多数の限定された範囲の安価なアクセスポイントを1つの部屋に配置して、より完全なカバレージエリアを提供し、潜在的トラフィックを増やし、かつ/または干渉を低減することが望まれ得る。たとえば、複数のワイヤレスアクセスポイントを既存のEthernet（登録商標）+PoEバスに接続することが望まれ得る。そのような手法は、Ethernet（登録商標）+PoEバスがすでに事前配線されていることのある会議室、ホールなどに改善を施す場合に特に魅力的である。残念ながら、多数のアクセスポイントが同時に動作して共通バスから電力を引き出すと、バスに過負荷がかかることがある。いくつかの潜在的なシステム配備では、所与の時点に特定の部屋には、ワイヤレス端末、たとえばモバイルノードよりも多くのアクセスポイントがシステム内にあり得る。限られた電力送配能力を有する共通電力バスを介して共通電源によってアクセスポイントが電力供給される通信システムでは、共通電源および/または共通電力バスに対する電力制約により、同時に同様に動作できるアクセスポイントの数に上限がある。
【０００３】
ユーザがエリア内の場所に関係なくワイヤレス信号を受信できるように、多数のアクセスポイントを有することが望ましいが、エリア内に多数のアクセスポイントがあるとき、アクセスポイントのサブセットの使用は、所与の時点にアクセスポイントが慎重に選択される場合には十分であり得る。
【発明の概要】
【発明が解決しようとする課題】
【０００４】
以上のことから、アクセスポイントのサブセットがワイヤレス信号を受信することおよび/または送ることができるように共通電源から所与の時間に電力供給されることを可能にする方法および装置であって、電力供給されるアクセスポイントが、共通電源によって電力供給されるアクセスポイントによってサービス提供されるエリア内のユーザデバイスに適切なワイヤレス信号カバレージを提供するように選択される、方法および装置が必要であることを諒解されたい。アクセスポイントが電力を要求するためにコントローラにシグナリングする必要性を回避し、かつ/またはそのようなアクセスポイント要求がアクセスポイントの電源投入に関して遅延をもたらすことがあり、かつ/もしくは混雑したおよび無駄な制御シグナリングにつながることがあるので、通信する権利を回避した少なくともいくつかの方法および装置が提供され得るのが望ましい。
【０００５】
上記に鑑みて、共通電源から電力供給され、かつ/もしくは共通電力バスを共有するアクセスポイントへの電力割振りを制御する新しい改善された方法、および/または共通電力バスに結合されたアクセスポイントによって1つもしくは複数の電力消費機能がいつ実行されるかを制御するための新しい改善された方法が必要であることを諒解されたい。
【０００６】
以上のことから、アクセスポイントのサブセットがワイヤレス信号を受信し、かつ/または送るように共通電源から所与の時間に電力供給されることを可能にする方法および装置であって、電力供給されるアクセスポイントが、共通バスに結合されたアクセスポイントによってサービス提供されるエリア内のユーザデバイスに適切なワイヤレス信号カバレージを提供するように選択される、方法および装置が必要であることを諒解されたい。
【課題を解決するための手段】
【０００７】
いくつかの、ただし必ずしもすべてとは限らない実施形態の様々な態様および/または特徴について、以下で説明する。ワイヤレス端末を検出し、かつ/または比較的小さい地理的エリア、たとえば部屋における複数のアクセスポイントのうちのどれがネットワーク接続のワイヤレス端末のポイントとして機能すべきかを判断するための電力効率的な方法および装置について説明する。様々な実施形態では、ワイヤレス端末は、アクセスポイントによって検出され得る発見信号および/または他の信号を送信する。説明する様々な方法および装置は、複数のアクセスポイントが共通電源から電力を取得する実施形態に特に好適である。所与のエリア、たとえば部屋または部屋のグループにおけるアクセスポイントの数は、たとえばネットワークの電力供給および/または電力送配の制限により、共通電源によって同時に十分に電力供給され得るアクセスポイントの数を上回ることがあり、いくつかの実施形態では上回る。ワイヤレス端末およびアクセスポイントは通信信号、たとえばブルートゥースおよび/または他の信号を使用することがあり、これらの信号は比較的短い距離の通信に通常使用され、たとえば部屋の中の物体または部屋の中の特定の場所に移動する個人に起因する干渉、またはブロッキングの影響を受けることがある。部屋または部屋のグループは、たとえばアクセスポイントにそれぞれ電力供給する複数のポートを有し得るが、共通電源および/または電力送配インフラストラクチャは、それに結合されたすべてのアクセスポイントに、それらが同時に信号を監視および/または受信できるほどの電力を同時に供給しないことがあり、いくつかの実施形態では供給できない。
【０００８】
電力制約に対処するために、アクセスポイントは、アクセスポイントに結合されたゲートウェイデバイスによって制御され、それにより1つまたは複数のアクセスポイントは、異なる時間に監視を行い、1つまたは複数のアクセスポイントがそれらの受信機の電源をオフにする一方で、別のアクセスポイントがワイヤレス端末信号を監視し、少なくともいくつかの実施形態ではさらに送信を控える。したがって、共通電源からの電力消費は、共通電源から電力を取得する1つまたは複数のアクセスポイントによって実行される監視動作に関連する電力消費を制御することによって制御される。
【０００９】
所与の時間に監視動作を実行するアクセスポイントの数の制御を通して、共通電源からの電力消費は管理され、エリア内のアクセスポイントの数が、すべてのアクセスポイントが同時にワイヤレス端末を監視した場合に限られた電力制約によりサポートされ得る数を上回ることが可能になる。
【００１０】
いくつかの実施形態では、ゲートウェイは、異なるエリア内のアクセスポイントを同時に監視するようにスケジュールし、それによりワイドエリアを最初に監視し、ワイヤレス端末を迅速に検出することが可能になり得る。ワイヤレス端末の検出に応答して、検出しているアクセスポイントは、受信信号の強度を測定し、かつ/またはデバイス識別子を検出する。次いでアクセスポイントは、信号強度および/または検出されたデバイス識別子を、システム内のコントローラとして働くゲートウェイデバイスに報告する。
【００１１】
いくつかの実施形態では、ワイヤレス端末がアクセスポイントによって検出されたという指示を受信したことに応答して、ゲートウェイデバイスは、ワイヤレス端末を検出したアクセスポイントの近傍において、その近傍にある追加のアクセスポイントによって追加監視を開始することができ、いくつかの実施形態では開始する。いくつかのそのような実施形態では、この追加監視は集中的エリア監視である。いくつかの実施形態では、電力節約目的で、ワイヤレス端末を最初に検出したアクセスポイントは、ワイヤレス端末の存在の検出および報告によってトリガされた監視の間は監視するのを控える。追加監視中のワイヤレス端末の検出に応答して、検出しているアクセスポイントは、受信信号の強度を測定し、かつ/またはデバイス識別子を検出する。次いでアクセスポイントは、信号強度および/または検出されたデバイス識別子を、システム内のコントローラとして働くゲートウェイデバイスに報告する。
【００１２】
様々な実施形態では、ゲートウェイデバイスは、ワイドエリア監視および集中的エリア監視から取得された情報を使用して、どの1つまたは複数のアクセスポイントが、検出されたワイヤレス端末のためのネットワーク接続のポイントとして機能すべきかを決定する。
【００１３】
いくつかの実施形態によるゲートウェイデバイスを動作させる例示的な方法は、共通電源から電力を取得する複数のアクセスポイントにおけるアクセスポイントの第1のサブセットを、前記複数のアクセスポイントにおける少なくともいくつかのアクセスポイントがワイヤレス端末信号を監視しない第1の期間中にワイヤレス端末からの信号を監視するように制御するステップであって、アクセスポイントの前記第1のサブセットは1つまたは複数のアクセスポイントを含み、アクセスポイントの前記第1のサブセットは第1のアクセスポイントを含む、ステップを含む。いくつかのそのような実施形態では、例示的な方法は、ワイヤレス端末からの信号の検出を示す前記第1のアクセスポイントからの信号を受信するステップと、ワイヤレス端末の検出を示す前記信号を受信したことに応答して、前記複数のアクセスポイントにおける少なくとも第2のアクセスポイントを、非監視動作モードから監視動作モードに切り替えるように制御するステップとをさらに含む。いくつかのそのような実施形態では、例示的な方法は、少なくとも第2のアクセスポイントを、前記第1のアクセスポイントがワイヤレス端末信号を監視しない間の第2の期間中にワイヤレス端末信号を監視するように制御するステップをさらに含む。
【００１４】
いくつかの実施形態による例示的なゲートウェイは、共通電源から電力を取得する複数のアクセスポイントにおけるアクセスポイントの第1のサブセットを、前記複数のアクセスポイントにおける少なくともいくつかのアクセスポイントがワイヤレス端末信号を監視しない第1の期間中にワイヤレス端末からの信号を監視するように制御するステップであって、アクセスポイントの前記第1のサブセットは1つまたは複数のアクセスポイントを含み、アクセスポイントの前記第1のサブセットは第1のアクセスポイントを含む、ステップと、ワイヤレス端末からの信号の検出を示す前記第1のアクセスポイントからの信号を受信するステップと、ワイヤレス端末の検出を示す前記信号を受信したことに応答して、前記複数のアクセスポイントにおける少なくとも第2のアクセスポイントを、非監視動作モードから監視動作モードに切り替えるように制御するステップと、少なくとも第2のアクセスポイントを、前記第1のアクセスポイントがワイヤレス端末信号を監視しない間の第2の期間中にワイヤレス端末信号を監視するように制御するステップとを行うように構成された、少なくとも1つのプロセッサを含む。例示的なゲートウェイデバイスは、前記少なくとも1つのプロセッサに結合されたメモリをさらに含む。
【００１５】
様々な実施形態が上の発明の概要で論じられたが、必ずしもすべての実施形態が同じ特徴を含むとは限らず、いくつかの実施形態では、上で説明された特徴のいくつかは必須ではないが望ましいことがあることを、諒解されたい。多数の追加の特徴、実施形態、および様々な実施形態の利益が、以下の詳細な説明において論じられる。
【図面の簡単な説明】
【００１６】
【図１】例示的な実施形態による、例示的な通信システムの図である。
【図２Ａ】様々な例示的な実施形態による、ゲートウェイデバイスを動作させる例示的な方法のフローチャートの第1の部分である。
【図２Ｂ】様々な例示的な実施形態による、ゲートウェイデバイスを動作させる例示的な方法のフローチャートの第2の部分である。
【図２Ｃ】様々な例示的な実施形態による、ゲートウェイデバイスを動作させる例示的な方法のフローチャートの第3の部分である。
【図３】例示的な実施形態による、例示的なゲートウェイデバイスの図である。
【図４Ａ】図3に示される例示的なゲートウェイデバイス内で使用可能であり、いくつかの実施形態では使用されるモジュールのアセンブリの第1の部分である。
【図４Ｂ】図3に示される例示的なゲートウェイデバイス内で使用可能であり、いくつかの実施形態では使用されるモジュールのアセンブリの第2の部分である。
【図４Ｃ】図3に示される例示的なゲートウェイデバイス内で使用可能であり、いくつかの実施形態では使用されるモジュールのアセンブリの第3の部分である。
【図５】例示的な実施形態による、例示的な反復タイミング周波数構造におけるワイドエリア監視時間間隔、および条件付き監視時間間隔を含む反復時間間隔の例示的なセットを示す図である。
【図６】例示的な実施形態による、大きいエリアに分散されたアクセスポイントのサブセットを、ワイヤレス端末信号を監視するように選択し制御するゲートウェイデバイスを示す図である。
【図７】例示的な実施形態による、図6の監視中の検出に応答して、エリアにクラスタ化されたアクセスポイントのサブセットを、ワイヤレス端末信号を監視するように選択し制御するゲートウェイデバイスを示す図である。
【図８】例示的な実施形態による、大きいエリアに分散されたアクセスポイントの別のサブセットを、ワイヤレス端末信号を監視するように選択し制御するゲートウェイデバイスを示す図である。
【図９】例示的な実施形態による、大きいエリアに分散されたアクセスポイントのさらに別のサブセットを、ワイヤレス端末信号を監視するように選択し制御するゲートウェイデバイスを示す図である。
【図１０】例示的な実施形態による、大きいエリアに分散されたアクセスポイントのさらに別のサブセットを、ワイヤレス端末信号を監視するように選択し制御するゲートウェイデバイスを示す図である。
【図１１】例示的な実施形態による、図10の監視中の検出に応答して、エリアにクラスタ化されたアクセスポイントのサブセットを、ワイヤレス端末信号を監視するように選択し制御するゲートウェイデバイスを示す図である。
【図１２】例示的な実施形態による、単一の部屋における大きいエリアに分散されたアクセスポイントのサブセットを、ワイヤレス端末信号を監視するように選択し制御するゲートウェイデバイスを示す図である。
【図１３】例示的な実施形態による、図12の監視中の検出に応答して、エリアにクラスタ化されたアクセスポイントのサブセットを、ワイヤレス端末信号を監視するように選択し制御するゲートウェイデバイスを示す図である。
【発明を実施するための形態】
【００１７】
図1は、様々な例示的な実施形態による、例示的な通信システム100の図である。例示的な通信システム100は、ゲートウェイデバイス102、電源モジュール103、および複数のアクセスポイント(アクセスポイント1(AP 1)104、AP 2 106、AP 3 108、AP 4 110、AP 5 112、AP 6 114、AP 7 116、AP 8 118、...、AP N-3 120、AP N-2 122、AP N-1 124、AP N 126)を含む。電源モジュール103は、共通電源105、第1のLANポート、LANポート1 107および第2のLANポート、LANポート2 109を含む。共通電源105は、入力AC電力を入力電力線111を介して受信し、生成されてフィルタ処理されたDC電力を出力電力線113を介して出力する。出力電力線113は、LANポート2 109の指定電力線に結合される。ゲートウェイデバイス102は、バス140、たとえばEthernet（登録商標）バスを介して電源モジュール103のLANポート1 107に結合される。電源モジュール103内では、線115は、LANポート1 107の信号線をLANポート2 109の信号線に結合し、Ethernet（登録商標）通信信号のためにフィードスルーまたはフィルタ処理済みフィードスルーを提供する。電源モジュール103のLANポート2 109は、バス141、たとえばEthernet（登録商標）+Power over Ethernet（登録商標）(PoE)バスを介してアクセスポイント(AP 1 104、AP 2 106、AP 3 108、AP 4 110、AP 5 112、AP 6 114、AP 7 116、AP 8 118、...、AP N-3 120、AP N-2 122、AP N-1 124、AP N 126)に結合される。例示的なシステム100では、AP 1 104、AP 2 106、AP 3 108、およびAP 4 110は部屋1 134内に含まれ、各AP(104、106、108、110)は異なる壁に取り付けられている。AP 5 112、AP 6 114、AP 7 116、およびAP 8 118は部屋2 136内に含まれ、各AP(112、114、116、118)は異なる壁に取り付けられている。AP N-3 120、AP N-2 122、AP N-1 124、およびAP N 126は部屋M 138内に含まれ、各AP(120、122、124、126)は異なる壁に取り付けられている。
【００１８】
いくつかの実施形態では、トポロジは異なり、たとえば、異なるサイズの部屋、異なる部屋の中に異なる数のAPがあり、かつ/または部屋の中のAPの位置がシステム中で変わる。部屋で示されているが、様々な可能な構造代替が考えられ、たとえば、電源モジュール103に結合されたAPの各々が共通オープンスペース中に位置するか、または電源モジュール103に結合されたAPのセットが異なるフロアもしくは1つの建物の異なる非連続部分内に位置することを諒解されたい。いくつかの他の実施形態では、電源モジュール103に結合されたAPに対応するカバレージエリアの少なくともいくつかの部分は屋外にある。さらに他の実施形態では、電源モジュール103に結合されたAPが乗り物、たとえば飛行機、列車、船、またはバスの中にある。いくつかの実施形態では、電源モジュール103は入力のためのDC電力を供給され、たとえば共通電源モジュール105はDC-DC電圧レベル変換を実行し、フィルタ処理する。
【００１９】
例示的な通信システム100は、システム100中を移動し、近傍にある1つまたは複数のアクセスポイントと通信することができる複数のワイヤレス端末(WT 1 128、WT 2 130、...、WT L 132)、たとえばモバイルノードをさらに含む。図1の例では、WT 1 128およびWT 2 130が部屋2内に現在位置し、ワイヤレス端末信号を監視するようにゲートウェイデバイス102によって制御されている部屋2 136内のAP(112、114、116、118)のうちの1つまたは複数によって検出され得る信号、たとえば発見信号を送信することができ、時には送信すると考える。異なる時間に、ゲートウェイデバイス102は、たとえば所定の探索方法および電力分配バジェットに従って、ワイヤレス端末信号を監視するように、異なるAPを選択し、制御することができ、時には選択し、制御する。
【００２０】
様々な実施形態では、所定の探索方法は、WT信号のワイドエリア探索が使用される所定の時間間隔、およびワイドエリア探索における検出に基づいてWT信号の局所的探索が使用される随意の追加時間間隔を含む。いくつかの実施形態では、AP監視の割振りのための第1の共通電源電力バジェットが所定のワイドエリア探索間隔に適用され、AP監視の割振りのための第2の共通電源電力バジェットが随意の条件付き局所的探索間隔に適用され、第1の電力バジェットおよび第2の電力バジェットは異なる。いくつかの実施形態では、異なる電力バジェットは、異なるタイプの時間間隔中にWT信号を監視するように選択され、制御されるAPの異なる数に対応する。
【００２１】
いくつかの実施形態では、第1および第2の共通電源電力バジェットは、特定の時間間隔中の監視目的の電力バジェット、たとえば特定の時間間隔中にAC受信機モジュールのセットの電源投入を行い、動作させるための電力に対応し、他の電源電力バジェット、たとえばワイヤレス送信機もワイヤレス受信機も電源投入されないスリープ動作モードでAPのセットを動作させるための電源電力バジェット、およびAP送信機モジュールのセットの電源投入を行うための電源電力バジェットがある。
【００２２】
例示的なシステム100内には、バス141を介して電源モジュール103に結合された、ゲートウェイデバイス102の制御下にある多数のアクセスポイントがある。APは、バス141の電力線を介して共通電源105から電力供給される。様々な実施形態では、バス141を介して共通電源105に結合されたアクセスポイントが、共通電源105の最大電力出力能力、バス141における電力線の電流通過(current carrying)能力、たとえば、ワイヤゲージ制限、バス141におけるワイヤランの長さ、およびAPを含むLANのトポロジのうちの1つもしくは複数またはすべてに基づいて、たとえば受信モードなどの特定の動作モードにおいて同時に動作するようにサポートされる場合よりも多くある。ゲートウェイ102は、どのアクセスポイントがタイミング構造における特定のポイントで動作すべきかを選択し、制御し、たとえば、特定のタイミング間隔中にワイヤレス端末から送信された信号、たとえばワイヤレス端末からの発見信号を検出するために、アクセスポイントのどのサブセットが監視すべきかを選択する。
【００２３】
様々な実施形態では、ワイヤレス端末信号を監視するように制御されている基地局は、ワイヤレス端末の検出をゲートウェイに報告する。いくつかの実施形態では、基地局はさらに、検出されたワイヤレス端末信号の測定された受信信号強度をゲートウェイに報告する。いくつかの実施形態では、ゲートウェイは、ゲートウェイに報告された情報に基づいて、どの1つまたは複数の基地局がワイヤレスデバイスによってネットワーク接続のポイントとして使用されるべきかに関する決定を行い、たとえば、ゲートウェイは、ワイヤレス端末から最も強い信号を受信した基地局を、ネットワーク接続のポイントとして選択し、またはゲートウェイは、他のワイヤレス端末によってすでに使用されていて、所定のしきい値を下回る電流トラフィック負荷を有する、所定のしきい値を上回る信号強度を有するワイヤレス端末からの信号を受信した基地局を選択する。
【００２４】
図2A、図2B、および図2Cの組合せを含む図2は、様々な例示的な実施形態による、ゲートウェイデバイスを動作させる例示的な方法のフローチャート200である。ゲートウェイデバイスは、たとえば、図1のシステム100のゲートウェイデバイス102である。方法の動作はステップ202で開始し、ステップ202では、ゲートウェイデバイス102が電源投入され初期化される。動作は、ステップ202からステップ206へ進む。
【００２５】
ステップ206では、ゲートウェイデバイスは、第1の共通電源電力バジェットに基づいてアクセスポイントの第1のサブセットに含まれるように、共通電源から電力を取得する複数のアクセスポイントにおけるアクセスポイントを選択する。いくつかのそのような実施形態では、ステップ206はステップ208を含み、ステップ208ではゲートウェイデバイスは、大きいエリアに分散された第1の複数のアクセスポイントを、ワイヤレス端末信号を監視するように選択する。動作は、ステップ206からステップ210へ進む。
【００２６】
ステップ210では、ゲートウェイデバイスはアクセスポイントの前記第1のサブセットにおけるアクセスポイントに、それらが第1の期間中に監視動作モードで動作すべきであることを通信する。動作は、ステップ210からステップ212へ進む。
【００２７】
ステップ212では、ゲートウェイデバイスは、共通電源から電力を取得する前記複数のアクセスポイントにおけるアクセスポイントの第1のサブセットを、前記複数のアクセスポイントにおける前記アクセスポイントのうちのいくつかがワイヤレス端末信号を監視しない前記第1の期間中にワイヤレス端末からの信号を監視するように制御する。アクセスポイントの第1のサブセットは、1つまたは複数のアクセスポイントを含み、アクセスポイントの前記第1のサブセットは、第1のアクセスポイントを含む。動作は、ステップ212からステップ214へ進む。
【００２８】
ステップ214では、ゲートウェイデバイスは、ワイヤレス端末による信号の検出を示すアクセスポイントの前記第1のサブセットにおけるアクセスポイントからの信号を監視する。ステップ214はステップ216を含むことができ、時には含み、ステップ216ではゲートウェイデバイスは、ワイヤレス端末からの信号の検出を示す前記第1のアクセスポイントからの信号を受信する。いくつかの実施形態では、ステップ216において受信された信号は、検出されたWTのIDを示す情報および/または検出されたWTからの検出された信号の測定された信号強度を示す情報を含む。動作は、ステップ214からステップ218へ進む。
【００２９】
ステップ218では、ゲートウェイデバイスは、信号が第1のアクセスポイントから受信されたかどうかを判断し、その判断に応じて動作を制御する。信号が第1のアクセスポイントから受信された場合には、動作はステップ218から接続ノードA 220を介してステップ226へ進み、そうでない場合には、動作はステップ218から接続ノードB 222を介してステップ240へ進む。
【００３０】
ステップ226に戻ると、ステップ226では、ゲートウェイデバイスは、第2の共通電源電力バジェットに基づいてアクセスポイントの第2のサブセットに含まれるように、前記複数のアクセスポイントからアクセスポイントを選択する。いくつかの実施形態では、第2の共通電源電力バジェットは、第1の共通電源電力バジェットと同じである。いくつかの他の実施形態では、第2の共通電源電力バジェットは第1の共通電源電力バジェットとは異なり、たとえば第1の共通電源電力バジェットを下回る。いくつかの実施形態では、異なる電力バジェット値は、ワイヤレス端末信号を監視するように選択され得るアクセスポイントの異なる数に対応する。ステップ226はステップ228を含む。いくつかの実施形態では、ステップ226は、ステップ230、232および234のうちの1つもしくは複数またはすべてを含む。様々な実施形態では、ステップ228、230、232および234のうちの1つもしくは複数またはすべては共同で、たとえば単一の合成ステップで実行される。ステップ228では、ゲートウェイデバイスは、可能な選択についての考慮から第1のアクセスポイントを除外する。ステップ230では、ゲートウェイデバイスは、アクセスポイントの第2のサブセットの選択を、第1のアクセスポイントの位置に基づいて行う。ステップ232では、ゲートウェイデバイスは、アクセスポイントの前記第1のサブセットに含まれないアクセスポイントを、アクセスポイントの前記第2のサブセットに含まれるように選択する選好を適用する。ステップ234では、ゲートウェイデバイスは、前記第1のアクセスポイントに近接したアクセスポイントのクラスタを選択する。動作は、ステップ226からステップ235へ進む。
【００３１】
ステップ235では、ゲートウェイデバイスは、ワイヤレス端末の検出を示す前記第1のアクセスポイントからの前記信号を受信したことに応答して、前記複数のアクセスポイントにおける少なくとも第2のアクセスポイントを、非監視動作モードから監視動作モードに切り替えるように制御する。様々な実施形態では、第2のアクセスポイントは、アクセスポイントの選択された第2のサブセットのメンバーである。いくつかの実施形態では、ゲートウェイデバイスは、ワイヤレス端末の検出を示す第1のアクセスポイントからの前記信号を受信したことに応答して、アクセスポイントの前記第2のサブセットにおけるアクセスポイントの各々を、非監視動作モードから監視動作モードに切り替えるように制御する。動作は、ステップ235からステップ236へ進む。
【００３２】
ステップ236では、ゲートウェイデバイスは、少なくとも第2のアクセスポイントを、前記第1のアクセスポイントがワイヤレス端末信号を監視しない間の第2の期間中にワイヤレス端末信号を監視するように制御する。いくつかの実施形態では、ゲートウェイデバイスは、アクセスポイントの前記選択された第2のサブセットにおけるアクセスポイントの各々を、前記第1のアクセスポイントがワイヤレス端末信号を監視しない間の第2の期間中にワイヤレス端末信号を監視するように制御する。動作は、ステップ236からステップ237へ進む。
【００３３】
ステップ237では、ゲートウェイデバイスは、ワイヤレス端末からの信号の検出を示すアクセスポイントの前記第2のサブセットにおけるアクセスポイントからの信号を監視する。ゲートウェイデバイスは、ワイヤレス端末からの信号の検出を示すアクセスポイントの第2のサブセットにおけるアクセスポイントのうちの1つまたは複数からの信号を受信することができ、時には受信する。ステップ237はステップ238を含むことができ、時には含み、ステップ238ではゲートウェイデバイスは、ワイヤレス端末からの信号の検出を示す前記第2のアクセスポイントからの信号を受信する。いくつかの実施形態では、ステップ238において受信された信号は、検出されたWTのIDを示す情報および/または検出されたWTからの検出された信号の測定された信号強度を示す情報を含む。動作はステップ237からステップ239およびステップ240に進む。
【００３４】
ステップ239では、ゲートウェイデバイスはアクセスポイントを、監視しているAPからの報告された情報に基づいて、WTのためのネットワーク接続のポイントとして機能することに関して管理する。たとえば、ゲートウェイデバイスは、ワイヤレス端末からの信号を検出したそれらのアクセスポイントのうちのどのアクセスポイントがネットワーク接続のワイヤレス端末ポイントとして機能すべきかを選択し得る。決定は、報告された受信信号強度測定値、APが他のWTに現在サービス提供しているかどうか、およびトラフィック負荷に関するAPにおける電流負荷のうちの1つもしくは複数またはすべてに基づき得る。
【００３５】
ステップ240では、ゲートウェイデバイスは、第1の共通電源電力バジェットに基づいてアクセスポイントの第3のサブセットに含まれるように、共通電源から電力を取得する前記複数のアクセスポイントにおけるアクセスポイントを選択する。いくつかのそのような実施形態では、ステップ240はステップ242を含み、ステップ242ではゲートウェイデバイスは、大きいエリアに分散された第3の複数のアクセスポイントを、ワイヤレス端末信号を監視するように選択する。動作は、ステップ240からステップ244へ進む。
【００３６】
ステップ244では、ゲートウェイデバイスはアクセスポイントの前記第3のサブセットにおけるアクセスポイントに、それらが第3の期間中に監視動作モードで動作すべきであることを通信する。動作は、ステップ244からステップ246へ進む。
【００３７】
ステップ246では、ゲートウェイデバイスは、前記複数のアクセスポイントにおけるアクセスポイントの第3のサブセットを、前記複数のアクセスポイントにおける前記アクセスポイントのうちのいくつかがワイヤレス端末信号を監視しない前記第3の期間中にワイヤレス端末からの信号を監視するように制御する。アクセスポイントの第3のサブセットは、1つまたは複数のアクセスポイントを含み、アクセスポイントの前記第3のサブセットは、第3のアクセスポイントを含む。動作は、ステップ246から接続ノードC 248を介してステップ250へ進む。
【００３８】
ステップ250では、ゲートウェイデバイスは、ワイヤレス端末による信号の検出を示すアクセスポイントの前記第3のサブセットにおけるアクセスポイントからの信号を監視する。ステップ250はステップ252を含むことができ、時には含み、ステップ252ではゲートウェイデバイスは、ワイヤレス端末からの信号の検出を示す前記第3のアクセスポイントからの信号を受信する。いくつかの実施形態では、ステップ252において受信された信号は、検出されたWTのIDを示す情報および/または検出されたWTからの検出された信号の測定された信号強度を示す情報を含む。動作は、ステップ250からステップ254へ進む。
【００３９】
ステップ254では、ゲートウェイデバイスは、信号が第3のアクセスポイントから受信されたかどうかを判断し、その判断に応じて動作を制御する。信号が第3のアクセスポイントから受信された場合には、動作はステップ254からステップ256へ進み、そうでない場合には、動作はステップ254から接続ノードD 258を介してステップ206へ進む。
【００４０】
ステップ256に戻ると、ステップ256では、ゲートウェイデバイスは、前記第2の共通電源電力バジェットに基づいてアクセスポイントの第4のサブセットに含まれるように、前記複数のアクセスポイントからアクセスポイントを選択する。ステップ256はステップ260を含む。いくつかの実施形態では、ステップ256は、ステップ262、264および266のうちの1つもしくは複数またはすべてを含む。様々な実施形態では、ステップ260、262、264および266のうちの1つもしくは複数またはすべては共同で、たとえば単一の合成ステップで実行される。ステップ260では、ゲートウェイデバイスは、可能な選択についての考慮から第3のアクセスポイントを除外する。ステップ262では、ゲートウェイデバイスは、アクセスポイントの第4のサブセットの選択を、第3のアクセスポイントの位置に基づいて行う。ステップ264では、ゲートウェイデバイスは、アクセスポイントの前記第3のサブセットに含まれないアクセスポイントを、アクセスポイントの前記第4のサブセットに含まれるように選択する選好を適用する。ステップ266では、ゲートウェイデバイスは、前記第3のアクセスポイントに近接したアクセスポイントのクラスタを選択する。動作は、ステップ256からステップ267へ進む。
【００４１】
ステップ267では、ゲートウェイデバイスは、ワイヤレス端末の検出を示す前記第3のアクセスポイントからの前記信号を受信したことに応答して、前記複数のアクセスポイントにおける少なくとも第4のアクセスポイントを、非監視動作モードから監視動作モードに切り替えるように制御する。様々な実施形態では、第4のアクセスポイントは、アクセスポイントの選択された第4のサブセットのメンバーである。いくつかの実施形態では、ゲートウェイデバイスは、ワイヤレス端末の検出を示す前記第3のアクセスポイントからの前記信号を受信したことに応答して、アクセスポイントの前記第4のサブセットにおけるアクセスポイントの各々を、非監視動作モードから監視動作モードに切り替えるように制御する。
【００４２】
動作は、ステップ267からステップ268へ進む。ステップ268では、ゲートウェイデバイスは、少なくとも第4のアクセスポイントを、前記第3のアクセスポイントがワイヤレス端末信号を監視しない間の第4の期間中にワイヤレス端末信号を監視するように制御する。いくつかの実施形態では、ゲートウェイデバイスは、アクセスポイントの前記選択された第4のサブセットにおけるアクセスポイントの各々を、前記第1のアクセスポイントがワイヤレス端末信号を監視しない間の第4の期間中にワイヤレス端末信号を監視するように制御する。動作は、ステップ268からステップ269へ進む。
【００４３】
ステップ269では、ゲートウェイデバイスは、ワイヤレス端末の検出を示すアクセスポイントの前記第4のサブセットにおけるアクセスポイントからの信号を監視する。ゲートウェイデバイスは、ワイヤレス端末からの信号の検出を示すアクセスポイントの第4のサブセットにおけるアクセスポイントのうちの1つまたは複数からの信号を受信することができ、時には受信する。ステップ269はステップ270を含むことができ、時には含み、ステップ270ではゲートウェイデバイスは、ワイヤレス端末からの信号の検出を示す前記第4のアクセスポイントからの信号を受信する。いくつかの実施形態では、ステップ270において受信された信号は、検出されたWTのIDを示す情報および/または検出されたWTからの検出された信号の測定された信号強度を示す情報を含む。
【００４４】
動作は、ステップ269から接続ノードE 272を介してステップ239に進み、接続ノードD 258を介してステップ206に進む。
【００４５】
いくつかの実施形態では、アクセスポイントの第1のサブセットおよび第3のサブセットは、それぞれ第1の期間および第3の期間に対応し、これらの期間は、共通電源から電力を取得するアクセスポイントの特定の、たとえば広く分散されたサブセットが監視を実行する、定期的にスケジュールされた監視期間である。第2の期間および第2のサブセットは、第1のアクセスポイントによるワイヤレス端末信号の検出によって開始されるアクセスポイントの期間およびサブセットに対応する。電力節約を理由に、第1のアクセスポイントは第2の期間中に監視しないが、第1のアクセスポイントに近接したアクセスポイントの1つ、好ましくはクラスタは、ワイヤレス端末からの信号を監視する。同様に、第4の期間および第4のサブセットは、第3のアクセスポイントによるワイヤレス端末信号の検出によって開始されるアクセスポイントの期間およびサブセットに対応する。電力節約を理由に、第3のアクセスポイントは第4の期間中に監視しないが、第3のアクセスポイントに近接したアクセスポイントの1つ、好ましくはクラスタは、ワイヤレス端末からの信号を監視する。
【００４６】
したがって、いくつかの実施形態では、検出された信号で開始された期間中、たとえば第2の期間中または第4の期間中に、よりクラスタ化された監視が実行される。いくつかの実施形態では、トリガされた監視のための電力バジェットは、定期的にスケジュールされた監視のための電力バジェットよりも限られている。ゲートウェイデバイスはトポロジの知識を有しており、第2の期間中または第4の期間中に監視するようにアクセスポイントを選択する際にその知識を使用することができる。定期的にスケジュールされた監視は、ワイヤレス端末信号の監視を交替で行うアクセスポイントのグループ、たとえば潜在的に別個のグループを伴い得る。いくつかの実施形態では、固定または比較的一定の共通電源電力バジェットが、定期的な監視を実行するようにアクセスポイントを選択するために使用されることがあり、たとえば、同様の数のアクセスポイントが、定期的にスケジュールされた各監視間隔中に監視を実行し、いくつかの実施形態では順番に従って異なるグループが監視に進む。
【００４７】
図3は、例示的な実施形態による、例示的なゲートウェイデバイス300の図である。例示的なゲートウェイデバイス300は、たとえば、図1のシステム100のゲートウェイデバイス102である。例示的なゲートウェイデバイス300は、図2のフローチャート200に従って方法を実施することができ、時には実施する。
【００４８】
ゲートウェイデバイス300は、バス309を介して一緒に結合されたプロセッサ302とメモリ304とを含み、バス309を介して、様々な要素(302、304)がデータおよび情報を交換し得る。ゲートウェイデバイス300は、図示のようにプロセッサ302に結合され得る入力モジュール306と出力モジュール308とをさらに含む。しかしながら、いくつかの実施形態では、入力モジュール306および出力モジュール308は、プロセッサ302の内部に配置される。入力モジュール306は、入力信号を受信することができる。入力モジュール306は、入力を受信するためのワイヤードインターフェース入力モジュール307、たとえばEthernet（登録商標）入力モジュールを含む。いくつかの実施形態では、入力モジュール306は、入力を受信するためのワイヤレス入力インターフェースおよび/または光入力インターフェースを含む。出力モジュール308は、出力を送信するためのワイヤードインターフェース出力モジュール319、たとえばEthernet（登録商標）出力モジュールを含む。出力モジュール308は、出力を送信するためのワイヤレス出力インターフェースおよび/または光出力インターフェースも含むことができ、いくつかの実施形態では含む。
【００４９】
いくつかの実施形態では、メモリ304は、ルーチン311およびデータ/情報313を含む。データ/情報は、たとえば、第1のバス電力バジェット、第2のバス電力バジェット、タイミング構造情報、異なるAPの位置を識別する情報、受信信号強度しきい値レベル、どのAPが第1のサブセットおよび第3のサブセットに含まれるべきかを選択するために使用される所定の順番、どのAPがネットワーク接続のポイントとして現在機能しているかを識別する情報、APトラフィック負荷情報、WTおよびネットワーク接続の対応する選択されたポイントを識別する情報、APの選択された第1のサブセットを識別する情報、APの選択された第2のサブセットを識別する情報、APの選択された第3のサブセットを識別する情報、ならびにAPの選択された第4のサブセットを識別する情報を含む。
【００５０】
いくつかの実施形態では、プロセッサ302は、共通電源から電力を取得する複数のアクセスポイントにおけるアクセスポイントの第1のサブセットを、前記複数のアクセスポイントにおける少なくともいくつかのアクセスポイントがワイヤレス端末信号を監視しない第1の期間中にワイヤレス端末からの信号を監視するように制御するように構成される。アクセスポイントの第1のサブセットは、1つまたは複数のアクセスポイントを含み、アクセスポイントの前記第1のサブセットは、第1のアクセスポイントを含む。いくつかのそのような実施形態では、プロセッサ302は、ワイヤレス端末からの信号の検出を示す前記第1のアクセスポイントからの信号を受信するステップと、ワイヤレス端末の検出を示す前記信号を受信したことに応答して、前記複数のアクセスポイントにおける少なくとも第2のアクセスポイントを、非監視動作モードから監視動作モードに切り替えるように制御するステップと、少なくとも第2のアクセスポイントを、前記第1のアクセスポイントがワイヤレス端末信号を監視しない間の第2の期間中にワイヤレス端末信号を監視するように制御するステップとを行うように、さらに構成される。
【００５１】
様々な実施形態では、プロセッサ302は、第1の共通電源電力バジェットに基づいてアクセスポイントの前記第1のサブセットに含まれるように、前記複数のアクセスポイントにおけるアクセスポイントを選択するステップと、アクセスポイントの前記第1のサブセットにおけるアクセスポイントに、それらが前記第1の期間中に監視動作モードで動作すべきであることを通信するステップとを行うように、さらに構成される。いくつかの実施形態では、プロセッサ302は、アクセスポイントの前記第1のサブセットに含まれるようにアクセスポイントを選択するように構成されることの一部として、大きいエリアに分散された第1の複数のアクセスポイントを、ワイヤレス端末信号を監視するように選択するように構成される。
【００５２】
様々な実施形態では、プロセッサ302は、第2の共通電源電力バジェットに基づいてアクセスポイントの第2のサブセットに含まれるように、前記複数のアクセスポイントにおけるアクセスポイントを選択するようにさらに構成され、プロセッサ302は、アクセスポイントの第2のサブセットに含まれるようにアクセスポイントを選択するように構成されることの一部として、可能な選択についての考慮から前記第1のアクセスポイントを除外するように構成される。いくつかの実施形態では、プロセッサ302は、アクセスポイントの第2のサブセットに含まれるようにアクセスポイントを選択するように構成されることの一部として、アクセスポイントの第2のサブセットの選択を、前記第1のアクセスポイントの位置に基づいて行うように構成される。いくつかの実施形態では、プロセッサ302は、アクセスポイントの第2のサブセットに含まれるようにアクセスポイントを選択するように構成されることの一部として、アクセスポイントの前記第1のサブセットに含まれていないアクセスポイントを、アクセスポイントの前記第2のサブセットに含まれるように選択する選好を適用するように構成される。様々な実施形態では、プロセッサ302は、アクセスポイントの第2のサブセットに含まれるようにアクセスポイントを選択するように構成されることの一部として、前記第1のアクセスポイントに近接したアクセスポイントのクラスタを選択するように構成される。
【００５３】
いくつかの実施形態では、プロセッサ302は、前記第1の共通電源電力バジェットに基づいてアクセスポイントの第3のサブセットに含まれるように、前記複数のアクセスポイントからアクセスポイントを選択するステップと、アクセスポイントの前記第3のサブセットにおけるアクセスポイントに、それらが第3の期間中に監視動作モードで動作すべきであることを通信するステップとを行うように構成される。いくつかのそのような実施形態では、アクセスポイントの前記第3のサブセットにおけるアクセスポイントに、それらが第3の期間中に監視動作モードで動作すべきであることを通信することは、アクセスポイントの第3のサブセットにおけるアクセスポイントにメッセージを送ることを含む。
【００５４】
図4は、図3に示される例示的なゲートウェイデバイス300で使用される可能性があり、いくつかの実施形態では使用されるモジュールのアセンブリ400である。アセンブリ400のモジュールは、たとえば、個々の回路として、図3のプロセッサ302内のハードウェアで実装される可能性がある。代替的に、モジュールはソフトウェアで実装され、図3に示されるゲートウェイデバイス300のメモリ304に記憶される可能性がある。いくつかのそのような実施形態では、モジュールのアセンブリ400は、図3のデバイス300のメモリ304のルーチン311に含まれる。図3では、実施形態は単一のプロセッサ、たとえばコンピュータとして示されるが、プロセッサ302は、1つまたは複数のプロセッサ、たとえばコンピュータとして実装され得ることを諒解されたい。ソフトウェアで実装されるとき、モジュールはコードを含み、そのコードは、プロセッサによって実行されるとき、モジュールに対応する機能を実施するようにプロセッサ302、たとえばコンピュータを構成する。いくつかの実施形態では、プロセッサ302は、モジュールのアセンブリ400のモジュールの各々を実施するように構成される。モジュールのアセンブリ400がメモリ304に記憶されるいくつかの実施形態では、メモリ304は、コンピュータ可読媒体、たとえば非一時的コンピュータ可読媒体を含むコンピュータプログラム製品であり、コンピュータ可読媒体は、少なくとも1つのコンピュータ、たとえば、プロセッサ302に、モジュールが対応する機能を実施させるためのコード、たとえば、各モジュールに対する個別コードを含む。
【００５５】
完全にハードウェアベースのまたは完全にソフトウェアベースのモジュールが、使用されてよい。しかしながら、ソフトウェアおよびハードウェア(たとえば、回路が実装された)のモジュールの任意の組合せが、機能を実施するために使用され得ることを諒解されたい。諒解されるように、図4に示されるモジュールは、図2のフローチャート200の方法において図示および/または説明される、対応するステップの機能を実行するように、ゲートウェイデバイス300、またはその中にあるプロセッサ302などの要素を、制御および/または構成する。
【００５６】
図4A、図4B、および図4Cの組合せを含む図4は、パートA 401、パートB 403、およびパートC 405の組合せを含むモジュールのアセンブリ400を示している。モジュールのアセンブリ400は、第1の共通電源電力バジェットに基づいてアクセスポイントの第1のサブセットに含まれるように、共通電源から電力を取得する複数のアクセスポイントにおけるアクセスポイントを選択するように構成されたモジュール406と、アクセスポイントの前記第1のサブセットにおけるアクセスポイントに、それらが第1の期間中に監視動作モードで動作すべきであることを通信するように構成されたモジュール410と、前記複数のアクセスポイントにおけるアクセスポイントの第1のサブセットを、前記複数のアクセスポイントにおける前記アクセスポイントのうちのいくつかがワイヤレス端末信号を監視しない前記第1の期間中にワイヤレス端末からの信号を監視するように制御するステップであって、アクセスポイントの前記第1のサブセットは1つまたは複数のアクセスポイントを含み、アクセスポイントの前記第1のサブセットは第1のアクセスポイントを含む、ステップを行うように構成されたモジュール412とを含む。モジュール406は、大きいエリアに分散された第1の複数のアクセスポイントを、ワイヤレス端末信号を監視するように選択するように構成されたモジュール408を含む。
【００５７】
モジュールのアセンブリ400は、ワイヤレス端末からの信号の検出を示すアクセスポイントの前記第1のサブセットにおけるアクセスポイントからの信号を監視するように構成されたモジュール414をさらに含む。モジュール414は、ワイヤレス端末からの信号の検出を示す前記第1のアクセスポイントからの信号を受信するように構成されたモジュール416を含む。モジュールのアセンブリ400は、ワイヤレス端末からの信号の検出を示す前記第1のアクセスポイントからの信号が監視中に受信されたかどうかを判断するように構成されたモジュール418と、ワイヤレス端末からの信号の検出を示す前記第1のアクセスポイントからの信号が監視中に受信されたかどうかについての判断に応じて動作を制御するように構成されたモジュール419とをさらに含む。
【００５８】
モジュールのアセンブリ400は、第2の共通電源電力バジェットに基づいてアクセスポイントの第2のサブセットに含まれるように、前記複数のアクセスポイントからアクセスポイントを選択するように構成されたモジュール426をさらに含む。モジュール426は、可能な選択についての考慮から第1のアクセスポイントを除外するように構成されたモジュール428と、アクセスポイントの第2のサブセットの選択を、第1のアクセスポイントの位置に基づいて行うように構成されたモジュール430と、アクセスポイントの第1のサブセットに含まれないアクセスポイントを、アクセスポイントの前記第2のサブセットに含まれるように選択する選好を適用するように構成されたモジュール432と、前記第1のアクセスポイントに近接したアクセスポイントのクラスタを選択するように構成されたモジュール434とを含む。モジュールのアセンブリ400は、ワイヤレス端末の検出を示す第1のアクセスポイントからの信号を受信したことに応答して、前記複数のアクセスポイントにおける少なくとも第2のアクセスポイントを、非監視動作モードから監視動作モードに切り替えるように制御するように構成されたモジュール435と、少なくとも第2のアクセスポイントを、前記第1のアクセスポイントがワイヤレス端末信号を監視しない間の第2の期間中にワイヤレス端末信号を監視するように制御するように構成されたモジュール436とをさらに含む。いくつかの実施形態では、モジュールのアセンブリ400は、ワイヤレス端末の検出を示す前記第1のアクセスポイントからの前記信号を受信したことに応答して、アクセスポイントの第2のサブセットを、非監視動作モードから監視動作モードに切り替えるように制御するように構成されたモジュール443、およびアクセスポイントの第2のサブセットを、前記第1のアクセスポイントがワイヤレス端末信号を監視しない間の第2の期間中にワイヤレス端末信号を監視するように制御するように構成されたモジュール445の一方または両方を含む。モジュールのアセンブリ400は、ワイヤレス端末からの信号の検出を示すアクセスポイントの前記第2のサブセットにおけるアクセスポイントからの信号を監視するように構成されたモジュール437をさらに含む。モジュール437は、ワイヤレス端末からの信号の検出を示す前記第2のアクセスポイントからの信号を受信するように構成されたモジュール438を含む。モジュールのアセンブリ400は、アクセスポイントを、監視しているAPからの報告された情報に基づいて、WTのためのネットワーク接続のポイントとして機能することに関して管理するように構成されたモジュール439をさらに含む。
【００５９】
モジュールのアセンブリ400は、前記第1の共通電源電力バジェットに基づいてアクセスポイントの第3のサブセットに含まれるように、前記複数のアクセスポイントにおけるアクセスポイントを選択するように構成されたモジュール440と、アクセスポイントの前記第3のサブセットにおけるアクセスポイントに、それらが第3の期間中に監視動作モードで動作すべきであることを通信するように構成されたモジュール444と、前記複数のアクセスポイントにおけるアクセスポイントの第3のサブセットを、前記複数のアクセスポイントにおける前記アクセスポイントのうちのいくつかがワイヤレス端末信号を監視しない前記第3の期間中にワイヤレス端末からの信号を監視するように制御するステップであって、アクセスポイントの前記第3のサブセットは1つまたは複数のアクセスポイントを含み、アクセスポイントの前記第3のサブセットは第3のアクセスポイントを含む、ステップを行うように構成されたモジュール446とをさらに含む。モジュール440は、大きいエリアに分散された第3の複数のアクセスポイントを、ワイヤレス端末信号を監視するように選択するように構成されたモジュール442を含む。
【００６０】
モジュールのアセンブリ400は、ワイヤレス端末からの信号の検出を示すアクセスポイントの前記第3のサブセットにおけるアクセスポイントからの信号を監視するように構成されたモジュール450をさらに含む。モジュール450は、ワイヤレス端末からの信号の検出を示す前記第3のアクセスポイントからの信号を受信するように構成されたモジュール452を含む。モジュールのアセンブリ400は、ワイヤレス端末からの信号の検出を示す前記第3のアクセスポイントからの信号が監視中に受信されたかどうかを判断するように構成されたモジュール454と、ワイヤレス端末からの信号の検出を示す前記第3のアクセスポイントからの信号が監視中に受信されたかどうかについての判断に応じて動作を制御するように構成されたモジュール455とをさらに含む。
【００６１】
モジュールのアセンブリ400は、第2の共通電源電力バジェットに基づいてアクセスポイントの第4のサブセットに含まれるように、前記複数のアクセスポイントからアクセスポイントを選択するように構成されたモジュール456をさらに含む。モジュール456は、可能な選択についての考慮から第3のアクセスポイントを除外するように構成されたモジュール460と、アクセスポイントの第4のサブセットの選択を、第3のアクセスポイントの位置に基づいて行うように構成されたモジュール462と、アクセスポイントの第3のサブセットに含まれないアクセスポイントを、アクセスポイントの前記第4のサブセットに含まれるように選択する選好を適用するように構成されたモジュール464と、前記第3のアクセスポイントに近接したアクセスポイントのクラスタを選択するように構成されたモジュール466とを含む。モジュールのアセンブリ400は、ワイヤレス端末の検出を示す前記第3のアクセスポイントからの前記信号を受信したことに応答して、前記複数のアクセスポイントにおける少なくとも第4のアクセスポイントを、非監視動作モードから監視動作モードに切り替えるように制御するように構成されたモジュール467と、少なくとも第4のアクセスポイントを、前記第3のアクセスポイントがワイヤレス端末信号を監視しない間の第4の期間中にワイヤレス端末信号を監視するように制御するように構成されたモジュール468とをさらに含む。
【００６２】
いくつかの実施形態では、モジュールのアセンブリ400は、ワイヤレス端末の検出を示す前記第3のアクセスポイントからの前記信号を受信したことに応答して、アクセスポイントの第4のサブセットを、非監視動作モードから監視動作モードに切り替えるように制御するように構成されたモジュール473、およびアクセスポイントの第4のサブセットを、前記第3のアクセスポイントがワイヤレス端末信号を監視しない間の第4の期間中にワイヤレス端末信号を監視するように制御するように構成されたモジュール471の一方または両方を含む。モジュールのアセンブリ400は、ワイヤレス端末からの信号の検出を示すアクセスポイントの前記第4のサブセットにおけるアクセスポイントからの信号を監視するように構成されたモジュール469をさらに含む。モジュール469は、ワイヤレス端末からの信号の検出を示す前記第4のアクセスポイントからの信号を受信するように構成されたモジュール470を含む。
【００６３】
図5は、様々な実施形態による、例示的な反復タイミング構造における例示的な時間間隔を示す図500である。図500は、時間を表す水平軸502を含む。図500はまた、複数の例示的な時間間隔(第1の時間間隔504、第2の時間間隔506、第3の時間間隔508、第4の時間間隔510、第1の時間間隔504'、第2の時間間隔506'、第3の時間間隔508'、第4の時間間隔510')を示している。
【００６４】
第1の時間間隔504は、ワイドエリア監視時間間隔である。第1の時間間隔504中に、第1の共通電源電力バジェットに従ってゲートウェイデバイスによって選択され、大きいカバレージエリアでWTの監視を行うように選択された被選択APのサブセットが、監視モードで動作するように制御され、WT信号を監視するように制御される。
【００６５】
第2の時間間隔506は、条件付き監視時間間隔である。第1の時間間隔504の監視中にWTが検出された場合、第2の時間間隔506中に追加監視が実行される。第1の時間間隔504中にWTが検出された場合、第2の時間間隔506中に、第2の共通電源電力バジェットに従ってゲートウェイデバイスによって選択され、どのAPが第1の時間間隔504においてWTを検出したかに基づいて選択された被選択APのサブセットが、監視モードで動作するように制御され、WT信号を監視するように制御される。
【００６６】
第3の時間間隔508は、ワイドエリア監視時間間隔である。第3の時間間隔508中に、第1の共通電源電力バジェットに従ってゲートウェイデバイスによって選択され、大きいカバレージエリアでWTの監視を行うように選択された被選択APのサブセットが、監視モードで動作するように制御され、WT信号を監視するように制御される。
【００６７】
第4の時間間隔510は、条件付き監視時間間隔である。第3の時間間隔508の監視中にWTが検出された場合、第4の時間間隔510において追加監視が実行される。第3の時間間隔508中にWTが検出された場合、第4の時間間隔510中に、第2の共通電源電力バジェットに従ってゲートウェイデバイスによって選択され、どのAPが第3の時間間隔508においてWTを検出したかに基づいて選択された被選択APのサブセットが、監視モードで動作するように制御され、WT信号を監視するように制御される。
【００６８】
第1の時間間隔504'は、ワイドエリア監視時間間隔である。第1の時間間隔504'中に、第1の共通電源電力バジェットに従ってゲートウェイデバイスによって選択され、大きいカバレージエリアでWTの監視を行うように選択された被選択APのサブセットが、監視モードで動作するように制御され、WT信号を監視するように制御される。
【００６９】
第2の時間間隔506'は、条件付き監視時間間隔である。第1の時間間隔504'の監視中にWTが検出された場合、第2の時間間隔506'中に追加監視が実行される。第1の時間間隔504'中にWTが検出された場合、第2の時間間隔506'中に、第2の共通電源電力バジェットに従ってゲートウェイデバイスによって選択され、どのAPが第1の時間間隔504'においてWTを検出したかに基づいて選択された被選択APのサブセットが、監視モードで動作するように制御され、WT信号を監視するように制御される。
【００７０】
第3の時間間隔508'は、ワイドエリア監視時間間隔である。第3の時間間隔508'中に、第1の共通電源電力バジェットに従ってゲートウェイデバイスによって選択され、大きいカバレージエリアでWTの監視を行うように選択された被選択APのサブセットが、監視モードで動作するように制御され、WT信号を監視するように制御される。
【００７１】
第4の時間間隔510'は、条件付き監視時間間隔である。第3の時間間隔508'の監視中にWTが検出された場合、第4の時間間隔510'中に追加監視が実行される。第3の時間間隔508'中にWTが検出された場合、第4の時間間隔510'中に、第2の共通電源電力バジェットに従ってゲートウェイデバイスによって選択され、どのAPが第3の時間間隔508'においてWTを検出したかに基づいて選択された被選択APのサブセットが、監視モードで動作するように制御され、WT信号を監視するように制御される。
【００７２】
いくつかの実施形態では、第1の時間間隔および第3の時間間隔は同じ持続時間である。他の実施形態では、第1の時間間隔および第3の時間間隔は異なるサイズである。
【００７３】
図6〜図11は、例示的な実施形態による、ゲートウェイデバイスがアクセスポイントのサブセットを、ワイヤレス端末を監視するように選択し制御する一例を示している。図6は、図示のように、図1ですでに記述したようにバス140およびバス141を介して一緒に結合された例示的なアクセスポイント(104、106、108、110、112、114、116、118、120、122、124、126)、例示的な電源モジュール103および例示的なゲートウェイデバイス102を含む図600を示している。
【００７４】
電源モジュール103は、複数のアクセスポイント(104、106、108、110、112、114、116、118、120、122、124、126)に電力を供給する共通電源105を含む。ゲートウェイデバイス102は、ブロック606によって示されるように、第1の共通電源電力バジェットに基づいてアクセスポイントの第1のサブセットに含まれるようにAP 1 104、AP 5 112、AP N-3 120を選択する。ゲートウェイデバイスは、ワイヤレス端末信号を監視するように、大きいエリアに分散されているアクセスポイントであるアクセスポイントの第1のサブセットを意図的に選択している。ゲートウェイデバイス102は、信号608を生成し、第1のサブセットにおけるアクセスポイント(104、112、120)に通信し、信号608はアクセスポイント(104、112、120)に、それらが第1の期間中に監視動作モードで動作すべきであることを通知する。AP(104、112、120)は、信号608を受信し、それぞれ「M」のブロック(610、612、614)によって示されるように、今度の第1の期間中にワイヤレス端末信号を監視する準備をする。ゲートウェイデバイス102は、前記第1の期間中にワイヤレス端末からの信号を監視するようにアクセスポイントの第1のサブセット(104、112、120)を制御する制御信号616を生成し、送信する。
【００７５】
第1の期間中に、WT A 602は、信号618、たとえばデバイスID情報またはデバイスID情報を導出するために使用される情報を通信する発見信号を送信する。ワイヤレス受信機が電源投入され、WTからの信号を監視するように制御されているAP 1 104は、点線矢印620によって示されるように信号618を受信する。AP 1 104は、受信信号の受信電力を測定し、信号618において通信された情報を回復する。AP 1 104は、AP 1 104がWTからの信号を検出したことを示す情報を通信する信号622を生成し、ゲートウェイデバイス102に送信する。いくつかの実施形態では、信号622は、検出された信号を送信したデバイスとしてWT A 602を識別する情報、および受信され検出された信号のAP 1 104における測定された受信信号強度のうちの1つまたは複数をさらに含む。
【００７６】
ゲートウェイデバイス102は、ワイヤレス端末からの信号の検出を示す第1のサブセットにおけるアクセスポイントからの信号を監視している。ゲートウェイデバイス102は、AP 1 104がWT A 602からの信号を検出したことを示す信号622をAP 1 104から受信する。
【００７７】
受信信号622に応答して、ゲートウェイデバイスは、第2の共通電源電力バジェットに基づいてアクセスポイントの第2のサブセットに含まれるようにアクセスポイントを選択する。ゲートウェイデバイス102は、AP 1 104が第1のサブセットに含まれているので、第2のサブセットに含まれるように考慮する際にAP 1 104を意図的に除外する。ゲートウェイデバイス102は、アクセスポイントの第2のサブセットに含まれるようにAP 2 106、AP 3 108およびAP 4 110を選択する。AP(106、108、110)は、アクセスポイントの第1のサブセットに含まれていない、AP 1 104に極めて近接したアクセスポイントのクラスタである。
【００７８】
例は図7の図700で続く。ゲートウェイデバイス102は、非監視動作モードから監視動作モードに切り替えるようにAP(106、108、110)を制御する信号702を生成し、AP(106、108、110)に送信する。AP(106、108、110)は、信号702を受信し、それぞれ「M」のブロック(704、706、708)によって示されるように、監視動作モードに切り替える。ゲートウェイデバイス102は、AP 1 104がワイヤレス端末信号を監視しない第2の期間中にワイヤレス端末信号を監視するようにAP(106、108、110)を制御するための信号710を生成し、AP(106、108、110)に送信する。
【００７９】
WT A 602は、それぞれ点線矢印(714、716、718)によって示されるように、第2の期間中にAP(AP 2 106、AP 3 108、AP 4 110)によって検出される信号712、たとえばデバイスID情報またはデバイスID情報を導出するために使用される情報を通信する発見信号を送信する。ワイヤレス受信機が電源投入され、WTからの信号を監視するように制御されているAP 2 106は、点線矢印714によって示されるように信号712を受信する。AP 2 106は、受信信号の受信電力を測定し、信号712において通信された情報を回復する。AP 2 106は、AP 2 106がWTからの信号を検出したことを示す情報を通信する信号720を生成し、ゲートウェイデバイス102に送信する。いくつかの実施形態では、信号720は、検出された信号を送信したデバイスとしてWT A 602を識別する情報、および受信され検出された信号のAP 2 106における測定された受信信号強度のうちの1つまたは複数をさらに含む。
【００８０】
ワイヤレス受信機が電源投入され、WTからの信号を監視するように制御されているAP 3 108も、点線矢印716によって示されるように信号712を受信する。AP 3 108は、受信信号の受信電力を測定し、信号712において通信された情報を回復する。AP 3 108は、AP 3 108がWTからの信号を検出したことを示す情報を通信する信号724を生成し、ゲートウェイデバイス102に送信する。いくつかの実施形態では、信号724は、検出された信号を送信したデバイスとしてWT A 602を識別する情報、および受信され検出された信号のAP 3 108における測定された受信信号強度のうちの1つまたは複数をさらに含む。
【００８１】
ワイヤレス受信機が電源投入され、WTからの信号を監視するように制御されているAP 4 110も、点線矢印718によって示されるように信号712を受信する。AP 4 110は、受信信号の受信電力を測定し、信号712において通信された情報を回復する。AP 4 110は、AP 4 110がWTからの信号を検出したことを示す情報を通信する信号726を生成し、ゲートウェイデバイス102に送信する。いくつかの実施形態では、信号726は、検出された信号を送信したデバイスとしてWT A 602を識別する情報、および受信され検出された信号のAP 4 110における測定された受信信号強度のうちの1つまたは複数をさらに含む。
【００８２】
ゲートウェイデバイス102は、ワイヤレス端末からの信号の検出を示す第2のサブセットにおけるアクセスポイントからの信号を監視している。ゲートウェイデバイス102は、それぞれAP(AP 2 106、AP 3 108、AP 4 110)から、AP(AP 2 106、AP 3 108、AP 4 110)がWT A 602からの信号を検出したことを示す信号(720、724、726)を受信する。
【００８３】
様々な実施形態では、ゲートウェイデバイス102は、受信信号(622、720、724、726)において通信された情報を使用して、通信システムをさらに管理し、制御し、たとえば、どの(1つまたは複数の)APがWT A 602のためのネットワーク接続のポイントとして使用されるべきかを決定および/または制御する。
【００８４】
例は図8の図800で続く。ゲートウェイデバイス102は、ブロック802によって示されるように、第1の共通電源電力バジェットに基づいてアクセスポイントの第3のサブセットに含まれるようにAP 2 106、AP 6 114、AP N-2 122を選択する。ゲートウェイデバイスは、ワイヤレス端末信号を監視するように、大きいエリアに分散されているアクセスポイントであるアクセスポイントの第3のサブセットを意図的に選択している。ゲートウェイデバイス102は、信号804を生成し、第3のサブセットにおけるアクセスポイント(106、114、122)に通信し、信号804はアクセスポイント(106、114、122)に、それらが第3の期間中に監視動作モードで動作すべきであることを通知する。AP(106、114、122)は、信号804を受信し、それぞれ「M」のブロック(806、808、810)によって示されるように、今度の第3の期間中にワイヤレス端末信号を監視する準備をする。ゲートウェイデバイス102は、前記第3の期間中にワイヤレス端末からの信号を監視するようにアクセスポイントの第3のサブセット(106、114、122)を制御する制御信号812を生成し、送信する。
【００８５】
第3の期間中に、WT信号はワイヤレス端末信号を監視しているAP(106、114、122)によって検出されない。アクセスポイントがWT信号を検出したことを示すAP(106、114、122)からの信号を監視しているゲートウェイデバイス102は、ブロック814によって示されるように、APがWTを検出したことを示す信号を受信しない。アクセスポイントがWT信号を検出したことを示す信号がないことに応答して、ゲートウェイデバイスは、今度の第4の時間間隔中にWT信号を監視するように任意のAPを制御することはない。
【００８６】
例は図9の図900で続く。ゲートウェイデバイス102は、ブロック902によって示されるように、第1の共通電源電力バジェットに基づいてアクセスポイントの第1のサブセットに含まれるようにAP 3 108、AP 7 116、AP N-1 124を選択する。ゲートウェイデバイスは、ワイヤレス端末信号を監視するように、大きいエリアに分散されているアクセスポイントであるアクセスポイントの第1のサブセットを意図的に選択している。ゲートウェイデバイス102は、信号904を生成し、第1のサブセットにおけるアクセスポイント(108、116、124)に通信し、信号904はアクセスポイント(108、116、124)に、それらが第1の期間中に監視動作モードで動作すべきであることを通知する。AP(108、116、124)は、信号904を受信し、それぞれ「M」のブロック(906、908、910)によって示されるように、今度の第1の期間中にワイヤレス端末信号を監視する準備をする。ゲートウェイデバイス102は、前記第1の期間中にワイヤレス端末からの信号を監視するようにアクセスポイントの第1のサブセット(108、116、124)を制御する制御信号912を生成し、送信する。
【００８７】
第1の期間中に、WT信号はワイヤレス端末信号を監視しているAP(108、116、124)によって検出されない。アクセスポイントがWT信号を検出したことを示すAP(108、116、124)からの信号を監視しているゲートウェイデバイス102は、ブロック914によって示されるように、APがWTを検出したことを示す信号を受信しない。アクセスポイントがWT信号を検出したことを示す信号がないことに応答して、ゲートウェイデバイスは、今度の第2の時間間隔中にWT信号を監視するように任意のAPを制御することはない。
【００８８】
例は図10の図1000で続く。ゲートウェイデバイス102は、ブロック1006によって示されるように、第1の共通電源電力バジェットに基づいてアクセスポイントの第3のサブセットに含まれるようにAP 4 110、AP 8 118、AP N 126を選択する。ゲートウェイデバイスは、ワイヤレス端末信号を監視するように、大きいエリアに分散されているアクセスポイントであるアクセスポイントの第3のサブセットを意図的に選択している。ゲートウェイデバイス102は、信号1008を生成し、第3のサブセットにおけるアクセスポイント(110、118、126)に通信し、信号1008はアクセスポイント(110、118、126)に、それらが第3の期間中に監視動作モードで動作すべきであることを通知する。AP(110、118、126)は、信号1008を受信し、それぞれ「M」のブロック(1010、1012、1014)によって示されるように、今度の第3の期間中にワイヤレス端末信号を監視する準備をする。ゲートウェイデバイス102は、前記第3の期間中にワイヤレス端末からの信号を監視するようにアクセスポイントの第3のサブセット(110、118、126)を制御する制御信号1016を生成し、送信する。
【００８９】
第3の期間中に、WT B 1002は、信号1018、たとえばデバイスID情報またはデバイスID情報を導出するために使用される情報を通信する発見信号を送信する。ワイヤレス受信機が電源投入され、WTからの信号を監視するように制御されているAP N 126は、点線矢印1020によって示されるように信号1018を受信する。AP N 126は、受信信号の受信電力を測定し、信号1018において通信された情報を回復する。AP N 126は、AP N 126がWTからの信号を検出したことを示す情報を通信する信号1022を生成し、ゲートウェイデバイス102に送信する。いくつかの実施形態では、信号1022は、検出された信号を送信したデバイスとしてWT B 1002を識別する情報、および受信され検出された信号のAP N 126における測定された受信信号強度のうちの1つまたは複数をさらに含む。
【００９０】
ゲートウェイデバイス102は、ワイヤレス端末からの信号の検出を示す第1のサブセットにおけるアクセスポイントからの信号を監視している。ゲートウェイデバイス102は、ブロック1024によって示されるように、AP N 126がWT B 1002からの信号を検出したことを示す信号1022をAP N 126から受信する。
【００９１】
受信信号1022に応答して、ゲートウェイデバイスは、第2の共通電源電力バジェットに基づいてアクセスポイントの第4のサブセットに含まれるようにアクセスポイントを選択する。ゲートウェイデバイス102は、AP N 126が第3のサブセットに含まれているので、第4のサブセットに含まれるように考慮する際にAP N 126を意図的に除外する。ゲートウェイデバイス102は、ブロック1026によって示されるように、アクセスポイントの第4のサブセットに含まれるようにAP N-3 120、AP N-2 122およびAP N-1 124を選択する。AP(120、122、124)は、アクセスポイントの第3のサブセットに含まれていない、AP N 126に極めて近接したアクセスポイントのクラスタである。
【００９２】
例は図11の図1100で続く。ゲートウェイデバイス102は、非監視動作モードから監視動作モードに切り替えるようにAP(120、122、124)を制御する信号1102を生成し、AP(120、122、124)に送信する。AP(120、122、124)は、信号1102を受信し、それぞれ「M」のブロック(1104、1106、1108)によって示されるように、監視動作モードに切り替える。ゲートウェイデバイス102は、AP N 126がワイヤレス端末信号を監視しない第4の期間中にワイヤレス端末信号を監視するようにAP(120、122、124)を制御するための信号1110を生成し、AP(120、122、124)に送信する。
【００９３】
WT B 1002は、点線矢印1114によって示されるように、第4の期間中にAP N-3 120によって検出される信号1112、たとえばデバイスID情報またはデバイスID情報を導出するために使用される情報を通信する発見信号を送信する。ワイヤレス受信機が電源投入され、WTからの信号を監視するように制御されているAP N-3 120は、点線矢印1114によって示されるように信号1112を受信する。AP N-3 120は、受信信号の受信電力を測定し、信号1112において通信された情報を回復する。AP N-3 120は、AP N-3 120がWTからの信号を検出したことを示す情報を通信する信号1116を生成し、ゲートウェイデバイス102に送信する。いくつかの実施形態では、信号1116は、検出された信号を送信したデバイスとしてWT B 1002を識別する情報、および受信され検出された信号のAP N-3 120における測定された受信信号強度のうちの1つまたは複数をさらに含む。
【００９４】
様々な実施形態では、ゲートウェイデバイス102は、受信信号(1022、1116)において通信された情報を使用して、通信システムをさらに管理し、制御し、たとえば、どの(1つまたは複数の)APがWT B 1002のためのネットワーク接続のポイントとして使用されるべきかを決定および/または制御する。
【００９５】
図6〜図11の例に対応する一実施形態では、図5のタイミング構造が使用され、AP 1 104、AP 5 112、およびAP N-3 120は第1の時間間隔504中にWT信号を監視するように制御され、AP 2 106、AP 3 108、およびAP 4 110は第2の時間間隔506中にWT信号を監視するように制御され、AP 2 106、AP 6 114、およびAP N-2 122は第3の時間間隔508中にWT信号を監視するように制御され、いかなるAPも第4の時間間隔510中にWT信号を監視するように制御されることはなく、AP 3 108、AP 7 116、およびAP N-1 124は第1の時間間隔504'中にWT信号を監視するように制御され、いかなるAPも第2の時間間隔506'中にWT信号を監視するように制御されることはなく、AP 4 110、AP 8 118、およびAP N 126は第3の時間間隔508'中にWT信号を監視するように制御され、AP N-3 120、AP N-2 122、およびAP N-1 124は第4の時間間隔510'中にWT信号を監視するように制御される。
【００９６】
図12〜図13は、例示的な実施形態による、ゲートウェイデバイスがアクセスポイントのサブセットを、ワイヤレス端末を監視するように選択し制御する一例を示している。図12は、例示的なアクセスポイント(AP 1 1204、AP 2 1206、AP 3 1208、AP 4 1210、AP 5 1212、AP 6 1214、AP 7 1216、AP 8 1218、AP 9 1220、AP 10 1222、AP 11 1224、AP 12 1226、AP 13 1228、AP 14 1230、AP 15 1232、AP 16 1234、AP 17 1236、AP 18 1238、AP 19 1240、AP 20 1242、AP 21 1244、AP 22 1246、AP 23 1248、AP 24 1250、AP 25 1252、AP 26 1254、AP 27 1256、AP 28 1258、AP 29 1260、AP 30 1262、AP 31 1263、AP 32 1264)、例示的な電源モジュール1203、および例示的なゲートウェイデバイス1202を含む図1200を示している。ゲートウェイデバイス1202はバス1265、たとえばEthernet（登録商標）バスを介して電源モジュール1203に結合されている。電源モジュール1203はバス1266、たとえばEthernet（登録商標）+PoEバスを介してAP(AP 1 1204、AP 2 1206、AP 3 1208、AP 4 1210、AP 5 1212、AP 6 1214、AP 7 1216、AP 8 1218、AP 9 1220、AP 10 1222、AP 11 1224、AP 12 1226、AP 13 1228、AP 14 1230、AP 15 1232、AP 16 1234、AP 17 1236、AP 18 1238、AP 19 1240、AP 20 1242、AP 21 1244、AP 22 1246、AP 23 1248、AP 24 1250、AP 25 1252、AP 26 1254、AP 27 1256、AP 28 1258、AP 29 1260、AP 30 1262、AP 31 1263、AP 32 1264)に結合されている。ゲートウェイデバイスは、たとえば、図1のゲートウェイデバイス102によるゲートウェイデバイス、図2のフローチャート200に従って方法を実施し、かつまたは図3のゲートウェイデバイス300に従って実装されているゲートウェイデバイスである。電源モジュール1203は、たとえば、図1の電源モジュール103による電源モジュールである。一実施形態では、アクセスポイントの各々は単一の部屋に位置する。
【００９７】
電源モジュール1203は、複数のアクセスポイントに電力を供給する共通電源を含む。ゲートウェイデバイス1202は、第1の共通電源電力バジェットに基づいてアクセスポイントの第1のサブセットに含まれるようにAP 1 1204、AP 4 1210、AP 7 1216、AP 9 1220、AP 12 1226、AP 14 1230、AP 17 1236、AP 20 1242、AP 22 1246、AP 25 1252、AP 28 1258、およびAP 32 1264を選択する。ゲートウェイデバイスは、ワイヤレス端末信号を監視するように、大きいエリアに分散されているアクセスポイントであるアクセスポイントの第1のサブセットを意図的に選択している。いくつかの実施形態では、アクセスポイントの第1のサブセットの選択は、所定の選択スケジュールに従う。
【００９８】
ゲートウェイデバイス1202は、信号1269を生成し、第1のサブセットにおけるアクセスポイント(1204、1210、1216、1220、1226、1230、1236、1242、1246、1252、1258、1264)に通信し、信号1269はアクセスポイント(1204、1210、1216、1220、1226、1230、1236、1242、1246、1252、1258、1264)に、それらが第1の期間中に監視動作モードで動作すべきであることを通知する。AP(1204、1210、1216、1220、1226、1230、1236、1242、1246、1252、1258、1264)は、信号1269を受信し、それぞれ「M」のブロック(1270、1272、1274、1276、1278、1280、1282、1284、1286、1288、1290、1292)によって示されるように、今度の第1の期間中にワイヤレス端末信号を監視する準備をする。ゲートウェイデバイス1202は、前記第1の期間中にワイヤレス端末からの信号を監視するようにアクセスポイントの第1のサブセット(1204、1210、1216、1220、1226、1230、1236、1242、1246、1252、1258、1264)を制御する制御信号1293を生成し、送信する。
【００９９】
第1の期間中に、WT 1 1268は、信号1294、たとえばデバイスID情報またはデバイスID情報を導出するために使用される情報を通信する発見信号を送信する。ワイヤレス受信機が電源投入され、WTからの信号を監視するように制御されているAP 17 1236は、点線矢印1296によって示されるように信号1294を受信する。AP 17 1236は、受信信号の受信電力を測定し、信号1294において通信された情報を回復する。AP 17 1236は、AP 17 1236がWTからの信号を検出したことを示す情報を通信する信号1297を生成し、ゲートウェイデバイス1202に送信する。いくつかの実施形態では、通信される信号1297は、検出された信号を送信したデバイスとしてWT 1 1268を識別する情報、およびWTからの受信され検出された信号のAP 17 1236における測定された受信信号強度のうちの1つまたは複数をさらに含む。
【０１００】
ゲートウェイデバイス1202は、ワイヤレス端末からの信号の検出を示すアクセスポイントの第1のサブセットにおけるアクセスポイントからの信号を監視している。ゲートウェイデバイス1202は、AP 17 1236がWT 1 1268からの信号を検出したことを示す信号1297をAP 17 1236から受信する。
【０１０１】
受信信号1297に応答して、ゲートウェイデバイスは、第2の共通電源電力バジェットに基づいてアクセスポイントの第2のサブセットに含まれるようにアクセスポイントを選択する。ゲートウェイデバイス1202は、AP 17 1236が第1のサブセットに含まれているので、第2のサブセットに含まれるように考慮する際にAP 17 1236を意図的に除外する。ゲートウェイデバイス1202は、アクセスポイントの第2のサブセットに含まれるようにAP 10 1222、AP 11 1224、AP 16 1234、AP 18 1238およびAP 24 1250を選択する。AP(AP 10 1222、AP 11 1224、AP 16 1234、AP 18 1238およびAP 24 1250)は、アクセスポイントの第1のサブセットに含まれていない、AP 17 1236に極めて近接したアクセスポイントのクラスタである。
【０１０２】
例は図13の図1300で続く。ゲートウェイデバイス1202は、非監視動作モードから監視動作モードに切り替えるようにAP(AP 10 1222、AP 11 1224、AP 16 1234、AP 18 1238およびAP 24 1250)を制御する信号1301を生成し、AP(AP 10 1222、AP 11 1224、AP 16 1234、AP 18 1238およびAP 24 1250)に送信する。AP(AP 10 1222、AP 11 1224、AP 16 1234、AP 18 1238およびAP 24 1250)は、信号1301を受信し、それぞれ「M」のブロック(1302、1304、1306、1308、1310)によって示されるように、監視動作モードに切り替える。ゲートウェイデバイス1202は、AP 17 1236がワイヤレス端末信号を監視しない第2の期間中にワイヤレス端末信号を監視するようにAP(AP 10 1222、AP 11 1224、AP 16 1234、AP 18 1238およびAP 24 1250)を制御するための信号1311を生成し、AP(AP 10 1222、AP 11 1224、AP 16 1234、AP 18 1238およびAP 24 1250)に送信する。
【０１０３】
WT 1 1268は、第2の期間中に信号1312、たとえばデバイスID情報またはデバイスID情報を導出するために使用される情報を通信する発見信号を送信する。ワイヤレス受信機が電源投入され、WTからの信号を監視するように制御されているAP 18 1238は、点線矢印1314によって示されるように信号1312を受信する。AP 18 1238は、受信信号の受信電力を測定し、信号1312において通信された情報を回復する。AP 18 1238は、AP 18 1238がWTからの信号を検出したことを示す情報を通信する信号1316を生成し、ゲートウェイデバイス1202に送信する。いくつかの実施形態では、信号1316は、検出された信号を送信したデバイスとしてWT 1 1268を識別する情報、および受信され検出された信号のAP 18 1238における測定された受信信号強度のうちの1つまたは複数をさらに含む。
【０１０４】
ゲートウェイデバイス1202は、ワイヤレス端末からの信号の検出を示すアクセスポイントの第2のサブセットにおけるアクセスポイントからの信号を監視している。ゲートウェイデバイス1202は、AP 18 1238がWT 1 1268からの信号を検出したことを示す信号1316をAP 18 1238から受信する。
【０１０５】
ゲートウェイデバイス1202は、受信信号(1297、1316)において通信された情報を使用して、通信システムをさらに管理し、制御し、たとえば、どの(1つまたは複数の)APがWT 1 1268のためのネットワーク接続のポイントとして使用されるべきかを決定および/または制御する。ゲートウェイデバイス1202は、AP 18 1238がWT 1 1268のためのネットワーク接続のポイントとなるべきであると決定し、その決定を通信する信号1318を生成し、AP 18 1238に、WT 1 1268のためのネットワーク接続のポイントとして機能するようにAP 18を制御するための信号1318を送信する。
【０１０６】
この例では、12個のAPが第1の時間間隔中に監視するように制御され、5個のAPが第2の時間間隔中に監視するように制御されるように、第1の時間間隔中に監視するようにAPを割り振るための第1の共通電源電力バジェットは、第2の時間間隔中に監視するようにAPを割り振るための第2の共通電源電力バジェットとは異なる。監視するようにWTを制御するために割り振られてはいない電力は、たとえば他の共通電源電力バジェットに従って他の目的に、たとえば、APが信号を送信することを可能にするために使用されてよく、時には使用される。様々な実施形態では第1の時間間隔中、第1の時間間隔中にWT信号を監視するように制御されてはいないAPは、それらのワイヤレス受信機の電力を落とす。様々な実施形態では第1の時間間隔中、第1の時間間隔中にWT信号を監視するように制御されてはいないAPは、それらのワイヤレス受信機における回路の少なくとも一部の電力を落とす。様々な実施形態では第2の時間間隔中、第2の時間間隔中にWT信号を監視するように制御されてはいないAPは、それらのワイヤレス受信機の電力を落とす。様々な実施形態では第2の時間間隔中、第2の時間間隔中にWT信号を監視するように制御されてはいないAPは、それらのワイヤレス受信機における回路の少なくとも一部の電力を落とす。
【０１０７】
いくつかの、ただし必ずしもすべてとは限らない実施形態の様々な態様および/または特徴について、以下で説明する。ワイヤレス端末を検出し、かつ比較的小さい地理的エリア、たとえば部屋における複数のアクセスポイントのうちのどれがネットワーク接続のワイヤレス端末のポイントとして機能すべきかを判断するための電力効率的な方法および装置について説明する。様々な実施形態では、ワイヤレス端末は、アクセスポイントによって検出され得る発見信号および/または他の信号を送信する。説明する様々な方法および装置は、複数のアクセスポイントが共通電源から電力を取得する実施形態に特に好適である。いくつかの実施形態では、共通電源からAPへの電力送配能力は、共通電源の最大電力出力、電力をAPに送配するワイヤの電流通過能力、たとえば、ワイヤゲージ制限、電力をAPに送配するワイヤの長さ、およびトポロジのうちの1つもしくは複数またはすべてによって制限される。所与のエリア、たとえば部屋または部屋のグループにおけるアクセスポイントの数は、ネットワークの電力送配能力により、共通電源によって同時に十分に電力供給され得るアクセスポイントの数を上回ることがあり、いくつかの実施形態では上回る。所与のエリア、たとえば部屋または部屋のグループにおけるアクセスポイントの数は、ネットワークの電力送配能力により、共通電源によってワイヤレス信号を受信するために監視するように同時に電力供給され得るアクセスポイントの数を上回ることがあり、いくつかの実施形態では上回る。ワイヤレス端末およびアクセスポイントは通信信号、たとえばブルートゥースおよび/または他の信号を使用することがあり、これらの信号は比較的短い距離の通信に通常使用され、たとえば部屋の中の物体または部屋の中の特定の場所に移動する個人に起因する干渉、またはブロッキングの影響を受けることがある。部屋または部屋のグループは、たとえばアクセスポイントにそれぞれ電力供給する複数のEthernet（登録商標）ポートを有し得るが、Ethernet（登録商標）+PoEの共通電力バスは、それに結合されたすべてのアクセスポイントに、それらが同時に信号を監視および/または受信できるほどの電力を同時に供給するサポートをしないことがあり、いくつかの実施形態ではサポートをすることができない。
【０１０８】
電力制約に対処するために、アクセスポイントは、アクセスポイントに結合されたゲートウェイデバイスによって制御され、それにより1つまたは複数のアクセスポイントは、異なる時間に監視を行い、1つまたは複数のアクセスポイントがそれらの受信機の電源をオフにする一方で、別のアクセスポイントがワイヤレス端末信号を監視し、少なくともいくつかの実施形態ではさらに送信を控える。したがって、共通電源からの電力消費は、共通電源に結合された1つまたは複数のアクセスポイントによって実行される監視動作に関連する電力消費を制御することによって制御される。
【０１０９】
所与の時間に監視動作を実行するアクセスポイントの数の制御を通して、共通電源からの電力消費は管理され、エリア内のアクセスポイントの数が、共通電源によって電力供給されるすべてのアクセスポイントが同時にワイヤレス端末を監視した場合の限られた電力制約により、サポートされ得る数を上回ることが可能になる。
【０１１０】
いくつかの実施形態では、ゲートウェイデバイスは、たとえば監視目的でゲートウェイによって制御されているアクセスポイントによって共通電源から引き出される電力の量を所定の量に制限するために、アクセスポイント監視スケジュールを決定し、それにより所与の時間における共通電源に対する過剰な需要を回避する。いくつかの実施形態では、エリア内のアクセスポイントは、スケジュール、たとえばエリア内のアクセスポイントの結合先であるゲートウェイデバイスによって決定されたスケジュールに従って、順番にそれらの受信機の電源投入を行う。スケジュールは、ワイヤレス端末の監視を制御するために使用される。スケジュールは、たとえば、アクセスポイントIDに基づく順序もしくは何らかの他の順序で、またはゲートウェイデバイスによって決定されたグループで、アクセスポイントがワイヤレス端末を順番に監視する単純な順次スケジュールであり得る。たとえば、いくつかの実施形態では、ゲートウェイデバイスは、極めて近接した複数のアクセスポイントを、それらがワイヤレス端末からの同じ信号を検出する可能性を有するように同時に監視するようにスケジュールすることができる。代替として、ゲートウェイは、異なるエリア内のアクセスポイントを同時に監視するようにスケジュールし、それによりワイドエリアを最初に監視し、ワイヤレス端末を迅速に検出することが可能になり得る。いくつかの実施形態では、ゲートウェイデバイスは、監視を実行するアクセスポイントを、同時に監視するように、ワイヤレス端末が検出されたローカルエリアまたは地域に複数のアクセスポイントを有するように地理的に分散されたアクセスポイントに制御する。電力制約に起因して、特定の時点で監視することができるアクセスポイントの数は比較的一定であり得るが、ゲートウェイデバイスの制御下で、ワイドエリアの比較的まばらな監視とワイヤレス端末が検出されたエリアの集中的監視との間で切り替えを行うことによって、監視に利用できる電力を効率的に使用することができ、一方で依然として情報の迅速な収集および評価が可能であって、任意の時点に複数の可能なアクセスポイントのうちのどれが電源投入されてワイヤレス端末にサービス提供すべきかの信頼できる判断が可能であることを諒解されたい。
【０１１１】
ワイヤレス端末の検出に応答して、検出しているアクセスポイントは、受信信号の強度を測定し、かつ/またはデバイス識別子を検出する。次いでアクセスポイントは、信号強度および/または検出されたデバイス識別子を、システム内のコントローラとして働くゲートウェイデバイスに報告する。
【０１１２】
ワイヤレス端末がアクセスポイントによって検出されたことの指示を受信したことに応答して、ゲートウェイデバイスは、監視動作を実行するように近くのアクセスポイントの1つまたはグループにシグナリングすることができ、いくつかの実施形態ではシグナリングする。いくつかの実施形態では、電力節約目的で、ワイヤレス端末を検出したアクセスポイントは、ワイヤレス端末の存在の検出および報告によってトリガされた、たとえばまばらなワイドエリア監視期間中の検出によってトリガされた監視の間は監視するのを控える。
【０１１３】
したがって、ゲートウェイデバイスは、1つまたは複数の監視期間を変更すること、またはアクセスポイント監視を制御するために使用されるスケジュールに追加することができ、いくつかの実施形態ではそのような変更または追加を行う。アクセスポイントによって実施される(1つまたは複数の)追加監視期間は、ゲートウェイデバイスによって指定された時点に監視を実行するための命令に応答したものであり得る。
【０１１４】
アクセスポイントがいつ監視を実行するかを制御することに加えて、ゲートウェイデバイスは(1つまたは複数の)どのアクセスポイントが所与の時間にネットワーク接続のワイヤレス端末のポイントとして機能するかも制御する。ネットワーク接続のワイヤレス端末のポイントとして機能するアクセスポイントは、サービス提供しているワイヤレス端末にトラフィックデータを送信し、そのワイヤレス端末からトラフィックデータを受信する。ゲートウェイは、いつ何によってアクセスポイント監視が実行されるかだけではなく、いつどのアクセスポイントがワイヤレス端末にサービス提供するかも制御するので、ゲートウェイは、監視をスケジュールすることによって、またどのアクセスポイントが所与の期間中にネットワークアクセスのワイヤレス端末のポイントとして機能するかをスケジュールすることによって、共通電源における電力消費を制御することができる。
【０１１５】
ワイヤレス端末の接続ネットワークポイントとして動作していないアクセスポイントは、時々、たとえば周期的に、またはスケジュールに従って監視を実行するので、ゲートウェイデバイスは、チャネル状態の変化を検出し、必要に応じて異なるアクセスポイントにワイヤレス端末を再割当てすることが可能になる。さらに、監視は、連続的に実行されていないが、システムおよびゲートウェイがワイヤレス端末の位置の変化を検出し、かつ/または新しいワイヤレス端末の存在を検出するのに十分に実行されており、ワイヤレス端末は電力効率的かつ動的な方法でサービスを受けることが可能となる。
【０１１６】
本発明の方法および装置は、共通電源および/または共通電力バスがアクセスポイントに電力を供給し、共通電源から供給され得る電力の量がたとえば固定された所定量に限られているシステムに特に好適である。多数の実施形態が企図される。少なくともいくつかの実施形態では、部屋または部屋のグループにおける複数のアクセスポイントが、たとえば限られた電力送配能力を有する共通バスを介して共通電源から電力供給される。重複するアクセスポイントカバレージエリアがサポートされ得る。少なくともいくつかの実施形態では、ただし必ずしもすべてとは限らないが、単一のアクセスポイントまたはすべてよりも少ないアクセスポイントは、重複カバレージを対象として所与の時点に、たとえば、ワイヤレス端末の存在がエリア内で検出されていないときに、エリアの一部分を監視する。
【０１１７】
Ethernet（登録商標）+PoEを使用するシステムに関して主に説明したが、本発明の方法および装置は、複数のアクセスポイントが共通電源から電力を取得する様々な他の構造、たとえば、電力線制御インターフェース、電力線制御シグナリング、電力線制御ブレーカーパネル、エンドスパン電源、エンドスパンスイッチ、Ethernet（登録商標）スイッチ、およびミッドスパン電源のうちの1つもしくは複数またはすべてを含むシステムにも適用可能である。
【０１１８】
上述の方法および装置に関する多数の変形形態が考えられる。
【０１１９】
様々な実施形態において、デバイス、たとえば、図1のシステム100におけるゲートウェイデバイス、および/または図3のゲートウェイデバイス300、および/または図面のいずれかのゲートウェイデバイスは、本出願の図面のいずれかに関して説明され、かつ/または本出願の詳細な説明に記載された、個別のステップおよび/または動作の各々に対応するモジュールを含む。いくつかの実施形態では、モジュールは、ハードウェア、たとえば、回路の形態で実装される。したがって、少なくともいくつかの実施形態では、モジュールは、ハードウェアで実装されることが可能であり、時には実装される。他の実施形態では、モジュールは、通信デバイスのプロセッサによって実行される際、対応するステップまたは動作をデバイスに実施させるプロセッサ実行可能命令を含むソフトウェアモジュールとして実装されることが可能であり、時には実装される。さらに他の実施形態では、モジュールの一部またはすべてが、ハードウェアおよびソフトウェアの組合せとして実装される。
【０１２０】
様々な実施形態の技法は、ソフトウェア、ハードウェア、および/またはソフトウェアとハードウェアとの組合せを使用して実施され得る。様々な実施形態は、装置、たとえばゲートウェイデバイス、モバイルノードもしくは固定ノードなどのワイヤレス端末、基地局などのアクセスポイント、他の通信デバイス、ネットワークノードおよび/または通信システムを対象とする。様々な実施形態はまた、方法、たとえば、ゲートウェイデバイス、モバイルノード、固定ノード、基地局などのアクセスポイント、ネットワークノード、および/または通信システム、たとえばホストを制御し、かつ/または動作させる方法を対象とする。様々な実施形態はまた、方法の1つまたは複数のステップを実施するように機械を制御するための機械可読命令を含む、機械、たとえば、コンピュータ、可読媒体、たとえば、ROM、RAM、CD、ハードディスクなどを対象とする。コンピュータ可読媒体は、たとえば、非一時的コンピュータ可読媒体である。
【０１２１】
開示される処理におけるステップの特定の順序または階層は、例示的な手法の一例であることを理解されたい。設計上の選好に基づいて、本開示の範囲内のままでありながら、処理におけるステップの特定の順序または階層が再構成され得ることを理解されたい。添付の方法クレームは、例示的な順序で様々なステップの要素を提示しており、提示された特定の順序または階層に限定されるものではない。
【０１２２】
様々な実施形態では、本明細書で説明されたノードは、1つまたは複数の方法に対応するステップ、たとえば、信号処理ステップ、信号生成ステップおよび/または送信ステップを実行するための、1つまたは複数のモジュールを使用して実装される。したがって、いくつかの実施形態では、様々な特徴がモジュールを使用して実装される。そのようなモジュールは、ソフトウェア、ハードウェアまたはソフトウェアおよびハードウェアの組合せを使用して実装され得る。上で説明された方法または方法ステップの多くは、たとえば1つまたは複数のノードにおいて、上で説明された方法のすべてまたは一部分を実施するために、追加のハードウェアの有無にかかわらず、機械、たとえば汎用コンピュータを制御するためのメモリデバイス、たとえば、RAM、フロッピー（登録商標）ディスクなどのような機械可読媒体中に含まれる、ソフトウェアなどの機械実行可能命令を使用して実施され得る。したがって、特に、様々な実施形態は、機械、たとえば、プロセッサおよび関連するハードウェアに、上で説明された方法のステップのうちの1つまたは複数を実行させるための機械実行可能命令を含む機械可読媒体、たとえば非一時的コンピュータ可読媒体を対象とする。いくつかの実施形態は、本発明の1つまたは複数の方法のステップのうちの1つ、複数またはすべてを実装するように構成されたプロセッサを含むデバイス、たとえば、通信ノードを対象とする。
【０１２３】
いくつかの実施形態では、1つまたは複数のデバイス、たとえば、ゲートウェイデバイス、ワイヤレス端末、アクセスノード、および/またはネットワークノードなどの通信ノードの(1つまたは複数の)プロセッサ、たとえばCPUは、デバイスによって実行されるものとして説明された方法のステップを実行するように構成される。プロセッサの構成は、プロセッサ構成を制御するために、1つまたは複数のモジュール、たとえばソフトウェアモジュールを使用することによって、かつ/または列挙されたステップの実行および/もしくはプロセッサ構成の制御のために、プロセッサ中にハードウェア、たとえばハードウェアモジュールを含めることによって、達成され得る。したがって、すべてではないが、いくつかの実施形態は、プロセッサが含まれるデバイスによって実行される様々な説明された方法のステップの各々に対応するモジュールを含むプロセッサをもつデバイス、たとえば、ゲートウェイデバイスを対象とする。すべてではないが、いくつかの実施形態では、デバイス、たとえば、ゲートウェイデバイスは、プロセッサが含まれるデバイスによって実行される様々な説明された方法のステップの各々に対応するモジュールを含む。モジュールは、ソフトウェアおよび/またはハードウェアを使用して実装され得る。
【０１２４】
いくつかの実施形態は、1つのコンピュータまたは複数のコンピュータに、様々な機能、ステップ、作用、および/または動作、たとえば、上で説明された1つまたは複数のステップを実施させるためのコードを含むコンピュータ可読媒体、たとえば非一時的コンピュータ可読媒体を含むコンピュータプログラム製品を対象とする。実施形態に応じて、コンピュータプログラム製品は、実行されるべきステップごとに異なるコードを含むことができ、時には含む。したがって、コンピュータプログラム製品は、方法、たとえば、通信デバイスまたはノードを制御する方法の個々のステップごとのコードを含んでもよく、時には含む。コードは、RAM(ランダムアクセスメモリ)、ROM(読取り専用メモリ)、または他のタイプの記憶デバイスなどのコンピュータ可読媒体、たとえば非一時的コンピュータ可読媒体上に記憶される、機械、たとえばコンピュータが実行可能な命令の形態であってよい。コンピュータプログラム製品を対象とすることに加えて、いくつかの実施形態は、上で説明された1つまたは複数の方法の様々な機能、ステップ、作用、および/または動作のうちの1つまたは複数を実施するように構成されたプロセッサを対象とする。したがって、いくつかの実施形態は、本明細書で説明される方法のステップの一部またはすべてを実施するように構成されたプロセッサ、たとえばCPUを対象とする。プロセッサは、たとえば、本出願で説明される通信デバイスまたは他のデバイスで使用するためのものであってよい。
【０１２５】
様々な実施形態は、複数のアクセスポイントがバス、たとえばEthernet（登録商標）バスを介して電力供給され、かつ/またはデバイス、たとえばゲートウェイデバイスによって制御される通信システムに好適である。様々な実施形態は、バスの電力送配能力が、1つまたは複数の特定の動作モードにおいてバスに接続されたアクセスポイントの各々の同時動作には不十分である適用例、たとえばバスに接続されたアクセスポイントのすべてがワイヤレス端末からの信号を監視するように同時に動作することはできない適用例に好適である。いくつかの実施形態は、直交周波数分割多重化(OFDM)ベースのワイヤレスシグナリングプロトコル、たとえばWiFiシグナリングプロトコルまたは通信システムにおいてアクセスポイントとワイヤレス端末との間でシグナリングするための別のOFDMベースのプロトコルを使用する。
【０１２６】
OFDMシステムに関して説明されたが、様々な実施形態の方法および装置のうちの少なくともいくつかは、多くの非OFDMシステムおよび/または非セルラーシステムを含む広範囲の通信システムに適用可能である。
【０１２７】
上記の説明を考慮すれば、上で説明された様々な実施形態の方法および装置に関する多数の追加の変形形態が、当業者には明らかであろう。そのような変形形態は、範囲内に入ると考えられるべきである。本方法および本装置は、符号分割多元接続(CDMA)、OFDM、および/または、通信デバイス間のワイヤレス通信リンクを与えるために使用され得る様々な他のタイプの通信技法と共に使用されてよく、様々な実施形態において使用される。いくつかの実施形態では、1つまたは複数の通信デバイスは、OFDMおよび/またはCDMAを使用してモバイルノードとの通信リンクを確立し、かつ/またはワイヤードもしくはワイヤレス通信リンクを介してインターネットもしくは別のネットワークへの接続を与え得るアクセスポイントとして実装される。様々な実施形態では、モバイルノードは、本方法を実施するための、受信機/送信機回路ならびに論理および/またはルーチンを含む、ノートブックコンピュータ、個人情報端末(PDA)、または他の携帯デバイスとして実装される。
【符号の説明】
【０１２８】
100  通信システム、システム
102  ゲートウェイデバイス、ゲートウェイ
103  電源モジュール
104  アクセスポイント1(AP 1)
105  共通電源、共通電源モジュール
106  AP 2
107  LANポート1
108  AP 3
109  LANポート2
110  AP 4
111  入力電力線
112  AP 5
113  出力電力線
114  AP 6
115  線
116  AP 7
118  AP 8
120  AP N-3
122  AP N-2
124  AP N-1
126  AP N
128  WT 1
130  WT 2
132  WT L
134  部屋1
136  部屋2
138  部屋M
140  バス
141  バス
200  フローチャート
220  接続ノードA
222  接続ノードB
248  接続ノードC
258  接続ノードD
272  接続ノードE
300  ゲートウェイデバイス
302  プロセッサ
304  メモリ
306  入力モジュール
307  ワイヤードインターフェース入力モジュール
308  出力モジュール
309  バス
311  ルーチン
313  データ/情報
319  ワイヤードインターフェース出力モジュール
400  モジュールのアセンブリ、アセンブリ
401  パートA
403  パートB
405  パートC
406  モジュール
408  モジュール
410  モジュール
412  モジュール
414  モジュール
416  モジュール
418  モジュール
419  モジュール
426  モジュール
428  モジュール
430  モジュール
432  モジュール
434  モジュール
435  モジュール
436  モジュール
437  モジュール
438  モジュール
439  モジュール
440  モジュール
442  モジュール
443  モジュール
444  モジュール
445  モジュール
446  モジュール
450  モジュール
452  モジュール
454  モジュール
455  モジュール
456  モジュール
460  モジュール
462  モジュール
464  モジュール
466  モジュール
467  モジュール
468  モジュール
469  モジュール
470  モジュール
471  モジュール
473  モジュール
500  図
502  水平軸
504  第1の時間間隔
506  第2の時間間隔
508  第3の時間間隔
510  第4の時間間隔
504'  第1の時間間隔
506'  第2の時間間隔
508'  第3の時間間隔
510'  第4の時間間隔
600  図
602  WT A
608  信号
616  制御信号
618  信号
620  点線矢印
622  信号
700  図
702  信号
710  信号
712  信号
714  点線矢印
716  点線矢印
718  点線矢印
720  信号
724  信号
726  信号
800  図
804  信号
812  信号
900  図
904  信号
912  制御信号
1000  図
1002  WT B
1008  信号
1016  制御信号
1018  信号
1020  点線矢印
1022  信号
1100  図
1102  信号
1110  信号
1112  信号
1114  点線矢印
1116  信号
1200  図
1202  ゲートウェイデバイス
1203  電源モジュール
1204  AP 1
1206  AP 2
1208  AP 3
1210  AP 4
1212  AP 5
1214  AP 6
1216  AP 7
1218  AP 8
1220  AP 9
1222  AP 10
1224  AP 11
1226  AP 12
1228  AP 13
1230  AP 14
1232  AP 15
1234  AP 16
1236  AP 17
1238  AP 18
1240  AP 19
1242  AP 20
1244  AP 21
1246  AP 22
1248  AP 23
1250  AP 24
1252  AP 25
1254  AP 26
1256  AP 27
1258  AP 28
1260  AP 29
1262  AP 30
1263  AP 31
1264  AP 32
1265  バス
1266  バス
1268  WT 1
1269  信号
1293  制御信号
1294  信号
1296  点線矢印
1297  信号
1300  図
1301  信号
1311  信号
1312  信号
1314  点線矢印
1316  信号
1318  信号
【図１】
0006297061.tif 000002
【図２Ａ】
0006297061.tif 000003
【図２Ｂ】
0006297061.tif 000004
【図２Ｃ】
0006297061.tif 000005
【図３】
0006297061.tif 000006
【図４Ａ】
0006297061.tif 000007
【図４Ｂ】
0006297061.tif 000008
【図４Ｃ】
0006297061.tif 000009
【図５】
0006297061.tif 000010
【図６】
0006297061.tif 000011
【図７】
0006297061.tif 000012
【図８】
0006297061.tif 000013
【図９】
0006297061.tif 000014
【図１０】
0006297061.tif 000015
【図１１】
0006297061.tif 000016
【図１２】
0006297061.tif 000017
【図１３】
0006297061.tif 000018